(57)【要約】【課題】水−水熱交換器の大型化や装置の複雑化を招くことなく、床暖房等の熱源として貯湯タンクの湯を利用した際の該湯の貯湯タンクへの戻り温度が高くなる弊害に対応した排熱利用システムを提供する。【解決手段】排熱利用システム８は、床暖房マット４０の暖房運転する際に、暖房回路を循環する湯を給湯暖房器３０の暖房用熱交換器３９で加熱する暖房燃焼運転と、貯湯タンク１０の上部から取り出した湯を水-水熱交換器５０の一次側を経てタンク下部に戻るように循環させて暖房回路側の湯を昇温する蓄熱利用運転とを選択可能であるが、貯湯タンク１０内の温度成層が崩れて燃料電池２の発電を阻害しないために、蓄熱利用運転の選択は、・燃料電池２が発電停止中であって次の発電開始前に給湯利用の予定がある場合、・暖房のコールドスタート時、・暖房温度が低温要求になった場合等、に制限する。【選択図】図１
2019035521.tif 000002
【特許請求の範囲】
【請求項１】
下部から給水が補給される貯湯タンクと
前記貯湯タンクの下部から取り出した水を、所定の発電機の排熱を回収して昇温した後、前記貯湯タンクの上部に戻す排熱回収部と、
補助熱源機が有する熱交換器と、放熱器と、水−水熱交換器の二次側と、第１循環ポンプを経由して熱媒体流体が循環する放熱回路と、
前記貯湯タンクの上部から、前記水−水熱交換器の一次側と、第２循環ポンプを経由して前記貯湯タンクの下部に戻る蓄熱利用循環回路と、
前記放熱器による放熱動作を行う場合に、前記放熱回路に熱媒体流体を循環させると共に該循環する熱媒体流体を前記補助熱源機で加熱する補助熱源機利用運転と、前記放熱回路に熱媒体流体を循環させると共に前記貯湯タンクの上部から前記水−水熱交換器の一次側を経由して前記貯湯タンクの下部に戻るように前記貯湯タンク内の湯を前記蓄熱利用循環回路に循環させる蓄熱利用運転のいずれかを選択して実行する制御部と、
を備え、
前記制御部は、前記放熱動作において、前記貯湯タンクの上部に前記蓄熱利用運転に利用可能な温度の湯が存在する場合であっても、所定条件が成立しない場合は、前記蓄熱利用運転を選択しない
ことを特徴とする排熱利用システム。
【請求項２】
前記所定条件は、前記発電機が停止中かつ該発電機の次の稼動予定時までに前記貯湯タンクからの給湯予定があることを含む
ことを特徴とする請求項１に記載の排熱利用システム。
【請求項３】
前記所定条件は、前記放熱回路内の熱媒体流体の温度が所定温度以下であることを含む
ことを特徴とする請求項１または２に記載の排熱利用システム。
【請求項４】
前記放熱動作の要求温度には、第１要求温度と、該第１要求温度より低い第２要求温度があり、
前記所定条件は、前記放熱動作の要求温度が前記第２要求温度であることを含む
ことを特徴とする請求項１乃至３のいずれか１つに記載の排熱利用システム。
【請求項５】
前記蓄熱利用循環回路に、前記水−水熱交換器の一次側を経由後の水を前記貯湯タンクに戻す際の戻り位置を、前記貯湯タンクの下部とするか、前記貯湯タンクの下部より上方にある前記貯湯タンクの中間部とするかを切り替える戻し位置切り替え部を設け、
前記制御部は、前記蓄熱利用運転において、前記水−水熱交換器の一次側を経由して前記貯湯タンクに戻る水の温度が第１温度以下の場合は前記水を前記貯湯タンクの下部に戻し、前記戻る水の温度が前記第１温度を超える場合は、前記水−水熱交換器の一次側を経由した水を前記貯湯タンクの中間部に戻すように前記切り替え部を制御する
ことを特徴とする請求項１乃至４のいずれか１つに記載の排熱利用システム。
【請求項６】
前記制御部は、前記蓄熱利用運転において、前記水−水熱交換器の一次側を経由して前記貯湯タンクに戻る水の温度が所定温度を超えないように、前記第１循環ポンプと前記第２循環ポンプのいずれか一方もしくは双方の循環量を調整する
ことを特徴とする請求項１乃至５のいずれか１つに記載の排熱利用システム。
【発明の詳細な説明】
【技術分野】
【０００１】
本発明は、燃料電池等の発電機の排熱を回収して貯湯タンク内の水を昇温し、該貯湯タンクにためた湯を暖房や給湯に利用する排熱利用システムに関する。
【背景技術】
【０００２】
図３８は、上記のような排熱利用システムの一例を簡易に示したものであり、貯湯タンク内の湯の熱を床暖房に利用するものである。貯湯タンクには下部から冷たい水が給水される。燃料電池の排熱回収は、貯湯タンク内の水を該貯湯タンクの下部から取り出し、燃料電池の発電によって発生する排熱で加熱して貯湯タンクの上部に戻す排熱回収回路に循環させて行われる。そのため、貯湯タンクの下部には低温の水（たとえば１０℃）が、貯湯タンクの上部は高温の湯（たとえば６０℃）が存在するような温度成層が形成される。
【０００３】
床暖房では、貯湯タンクの上部から水−水熱交換器の一次側を経由して貯湯タンクの下部に戻る一次側循環回路に貯湯タンク内の湯を循環させると共に、水−水交換機の二次側と床暖房マットを経由する二次側循環回路に熱媒体流体（水など）を循環させる。貯湯タンクの上部から抜き出した高温の湯の熱が二次側循環回路を循環する熱媒体流体に伝達され、この熱が床暖房マットにおいて放熱される。
【０００４】
ここで、排熱回収において、貯湯タンクの下部から抜き出した１０℃の水が６０℃に昇温されて貯湯タンクの上部に戻るとすると、理想状態は、図３８に示すように、排熱回収側と同じ循環量で貯湯タンクの上部から取り出した６０℃の湯が水−水熱交換器で熱交換されて１０℃に下がって貯湯タンクに戻る状態である。この理想状態では、排熱回収した熱量にほぼ等しい熱量が床暖房で消費され、貯湯タンク内の温度成層が長時間維持される。
【０００５】
一方、図３９に示すように、室内が暖まってくると床暖房マットでの放熱量が減るので、貯湯タンクの上部から取り出した６０℃の湯は水−水熱交換器で熱交換されても３０℃〜４０℃程度までしか下がらずに貯湯タンクの下部に戻ってくる。そのため、排熱回収側は貯湯タンクの下部から取り出した４０℃の湯で機器を冷却することになり、場合によっては燃料電池の発電を停止させなければならなくなる。床暖房マットは一例であり、温水を利用する暖房放熱機であれば種類を問わない。
【０００６】
下記特許文献１では、水−水熱交換器で熱交換されて戻って来る水の温度が高くなった場合には、該戻って来る水を貯湯タンクの下部とは別の中間部に戻すようにして、貯湯タンクの下部に冷たい水が存在する状態を維持するようにした排熱利用システムが開示されている。
【先行技術文献】
【特許文献】
【０００７】
【特許文献１】特許第４８２０２１３号
【発明の概要】
【発明が解決しようとする課題】
【０００８】
図３９のような状態となることを防ぐために、水−水熱交換器を大型にすることや、水−水熱交換器の下流にラジエタを別途設けて放熱する等も考えられるが、コストや設置等の問題がある。また、図３９のように温度成層が崩れることを許容すると、給湯での利用効率や、前述したように燃料電池での発電効率や発電維持を犠牲にしなければならない。一方、特許文献１に開示のように、貯湯タンクに複数の戻し口を設けて、それらを切り替えるようにした場合には、構造の複雑化によるコストアップが避けられない。
【０００９】
本発明は、上記の問題を解決しようとするものであり、水−水熱交換器の大型化や装置の複雑化を招くことなく、床暖房等の熱源として貯湯タンクの湯を利用した際の該湯の貯湯タンクへの戻り温度が高い場合に対応することのできる排熱利用システムを提供することを目的としている。
【課題を解決するための手段】
【００１０】
かかる目的を達成するための本発明の要旨とするところは、次の各項の発明に存する。
【００１１】
［１］下部から給水が補給される貯湯タンクと
前記貯湯タンクの下部から取り出した水を、所定の発電機の排熱を回収して昇温した後、前記貯湯タンクの上部に戻す排熱回収部と、
補助熱源機が有する熱交換器と、放熱器と、水−水熱交換器の二次側と、第１循環ポンプを経由して熱媒体流体が循環する放熱回路と、
前記貯湯タンクの上部から、前記水−水熱交換器の一次側と、第２循環ポンプを経由して前記貯湯タンクの下部に戻る蓄熱利用循環回路と、
前記放熱器による放熱動作を行う場合に、前記放熱回路に熱媒体流体を循環させると共に該循環する熱媒体流体を前記補助熱源機で加熱する補助熱源機利用運転と、前記放熱回路に熱媒体流体を循環させると共に前記貯湯タンクの上部から前記水−水熱交換器の一次側を経由して前記貯湯タンクの下部に戻るように前記貯湯タンク内の湯を前記蓄熱利用循環回路に循環させる蓄熱利用運転のいずれかを選択して実行する制御部と、
を備え、
前記制御部は、前記放熱動作において、前記貯湯タンクの上部に前記蓄熱利用運転に利用可能な温度の湯が存在する場合であっても、所定条件が成立しない場合は、前記蓄熱利用運転を選択しない
ことを特徴とする排熱利用システム。
【００１２】
上記発明では、貯湯タンクの上部に蓄熱利用運転に利用可能な温度の湯が存在する場合であっても、所定条件が成立しない場合（たとえば、水-水熱交換器の一次側からの戻り温度が高くなることが想定される場合）は、蓄熱利用運転を選択(選択して実行)しない。
【００１３】
［２］前記所定条件は、前記発電機が停止中かつ該発電機の次の稼動予定時までに前記貯湯タンクからの給湯予定があることを含む
ことを特徴とする［１］に記載の排熱利用システム。
【００１４】
上記発明では、発電機が停止中でかつ発電機の次の稼動予定時までに前記貯湯タンクからの給湯予定がある場合には、蓄熱利用運転を実施して水-水熱交換器からの戻り温度が高くなったとしても、次の発電機の稼動前には貯湯タンクから出湯されて貯湯タンクの下部に冷たい水が補給される。そこで、上記の条件が成立する場合は蓄熱利用運転を選択可能とし、成立しない場合には蓄熱利用運転を選択しない。
【００１５】
［３］前記所定条件は、前記放熱回路内の熱媒体流体の温度が所定温度以下であることを含む
ことを特徴とする［１］または［２］に記載の排熱利用システム。
【００１６】
上記発明では、放熱回路内の熱媒体流体の温度が所定温度以下であれば、蓄熱利用運転を実行した場合の水-水熱交換器からの戻り温度が低くなると考えられる。そこで、上記の条件が成立する場合は蓄熱利用運転を選択可能とし、成立しない場合には蓄熱利用運転を選択しない。
【００１７】
［４］前記放熱動作の要求温度には、第１要求温度と、該第１要求温度より低い第２要求温度があり、
前記所定条件は、前記放熱動作の要求温度が前記第２要求温度であることを含む
ことを特徴とする［１］乃至［３］のいずれか１つに記載の排熱利用システム。
【００１８】
上記発明では、放熱動作の要求温度が第２要求温度であれば蓄熱利用運転を選択可能とし、放熱動作の要求温度が第２要求温度でなければ蓄熱利用運転を選択しない。
【００１９】
［５］前記蓄熱利用循環回路に、前記水−水熱交換器の一次側を経由後の水を前記貯湯タンクに戻す際の戻り位置を、前記貯湯タンクの下部とするか、前記貯湯タンクの下部より上方にある前記貯湯タンクの中間部とするかを切り替える戻し位置切り替え部を設け、
前記制御部は、前記蓄熱利用運転において、前記水−水熱交換器の一次側を経由して前記貯湯タンクに戻る水の温度が第１温度以下の場合は前記水を前記貯湯タンクの下部に戻し、前記戻る水の温度が前記第１温度を超える場合は、前記水−水熱交換器の一次側を経由した水を前記貯湯タンクの中間部に戻すように前記切り替え部を制御する
ことを特徴とする［１］乃至［４］のいずれか１つに記載の排熱利用システム。
【００２０】
上記発明では、蓄熱利用運転中に水-水熱交換器からの戻り温度が高くなった場合は、この湯を貯湯タンクの中間部に戻すように切り替える。これにより、貯湯タンクの下部の温度上昇を回避して、蓄熱利用運転をより長く継続可能にする。
【００２１】
［６］前記制御部は、前記蓄熱利用運転において、前記水−水熱交換器の一次側を経由して前記貯湯タンクに戻る水の温度が所定温度を超えないように、前記第１循環ポンプと前記第２循環ポンプのいずれか一方もしくは双方の循環量を調整する
ことを特徴とする［１］乃至［５］のいずれか１つに記載の排熱利用システム。
【００２２】
上記発明では、水-水熱交換器からの戻り温度が高くなってきたとき、第２循環ポンプの回転数を下げる、第１循環ポンプの回転数を増加させる、といった制御により、水-水熱交換器での熱交換の効率を高くして、戻り温度を下げる。
【発明の効果】
【００２３】
本発明に係る排熱利用システムによれば、水−水熱交換器の大型化や装置の複雑化を招くことなく、床暖房等の熱源として貯湯タンクの湯を利用した際の該湯の貯湯タンクへの戻り温度が高くなる弊害に対応することのできる。
【図面の簡単な説明】
【００２４】
【図１】本発明の実施の形態に係る排熱利用システムの概略構成を示す図である。
【図２】制御方針１を単独で採用した場合における暖房運転の流れを示す図である。
【図３】制御方針２を単独で採用した場合における暖房運転の流れを示す図である。
【図４】制御方針１と制御方針２を採用した場合における暖房運転の流れを示す図である。
【図５】制御方針３を単独で採用した場合における暖房運転の流れを示す図である。
【図６】制御方針３と制御方針１を組み合わせた場合の暖房運転の流れを示す図である。
【図７】制御方針３と制御方針２を組み合わせた場合の暖房運転の流れを示す図である。
【図８】図７の続きを示す流れ図である。
【図９】制御方針３と制御方針２と制御方針１を組み合わせた場合の暖房運転の流れを示す図である。
【図１０】図９の続きを示す流れ図である。
【図１１】制御方針４と制御方針１を組み合わせた場合の暖房運転の流れを示す図である。
【図１２】制御方針４と制御方針２とを組み合わせた場合の暖房運転の流れを示す図である。
【図１３】制御方針４と制御方針２と制御方針１を組み合わせた場合の暖房運転の流れを示す図である。
【図１４】制御方針３と制御方針４を組み合わせた場合の暖房運転の流れを示す図である。
【図１５】制御方針４と制御方針３と制御方針１を組み合わせた場合の暖房運転の流れを示す図である。
【図１６】制御方針４と制御方針３と制御方針２を組み合わせた場合の暖房運転の流れを示す図である。
【図１７】図１６の続きを示す流れ図である。
【図１８】制御方針４と制御方針３と制御方針２と制御方針１を組み合わせた場合の暖房運転の流れを示す図である。
【図１９】図１８の続きを示す流れ図である。
【図２０】図２０は、制御方針５と制御方針１を組み合わせた場合の暖房運転を示す流れ図である。
【図２１】制御方針５と制御方針２とを組み合わせた場合の暖房運転の流れを示す図である。
【図２２】制御方針５と制御方針２と制御方針１を組み合わせた場合の暖房運転の流れを示す図である。
【図２３】制御方針５と制御方針３を組み合わせた場合の暖房運転の流れを示す図である。
【図２４】制御方針５と制御方針３と制御方針１を組み合わせた場合の暖房運転の流れを示す図である。
【図２５】制御方針５と制御方針３と制御方針２を組み合わせた場合の暖房運転の流れを示す図である。
【図２６】図２５の続きを示す流れ図である。
【図２７】制御方針５と制御方針３と制御方針２と制御方針１を組み合わせた場合の暖房運転の流れを示す図である。
【図２８】図２７の続きを示す流れ図である。
【図２９】制御方針５と制御方針４と制御方針１を組み合わせた場合の暖房運転の流れを示す図である。
【図３０】制御方針５と制御方針４と制御方針２を組み合わせた場合の暖房運転の流れを示す図である。
【図３１】制御方針５と制御方針４と制御方針２と制御方針１を組み合わせた場合の暖房運転の流れを示す図である。
【図３２】制御方針５と制御方針４と制御方針３を組み合わせた場合の暖房運転の流れを示す図である。
【図３３】制御方針５と制御方針４と制御方針３と制御方針１を組み合わせた場合の暖房運転の流れを示す図である。
【図３４】制御方針５と制御方針４と制御方針３と制御方針２とを組み合わせた場合の暖房運転の流れを示す図である。
【図３５】図３４の続きを示す流れ図である。
【図３６】制御方針５と制御方針４と制御方針３と制御方針２と制御方針１を組み合わせた場合の暖房運転の流れを示す図である。
【図３７】図３６の続きを示す流れ図である。
【図３８】貯湯タンク内に温度成層が形成された理想の運転状態を示す図である。
【図３９】温水マットからの戻り温度が高く、貯湯タンク内にの温度成層が崩れた運転状態を示す図である。
【発明を実施するための形態】
【００２５】
以下、図面に基づき本発明の実施の形態を説明する。
【００２６】
図１は、本発明の実施の形態に係る排熱利用システム２の概略構成を示す図である。排熱利用システム８は、貯湯タンク１０と、貯湯タンク１０の下部から取り出した水を、所定の発電機（ここでは、燃料電池２）の排熱を回収して昇温した後、貯湯タンク１０の上部に戻す排熱回収ユニット２０と、補助熱源機としての給湯暖房器３０と、給湯暖房器３０の暖房回路に放熱器として接続された床暖房マット４０と、給湯暖房器３０の暖房回路を循環する熱媒体流体（ここでは、水）を貯湯タンク１０の湯の熱で昇温するための水-水熱交換器５０と、排熱利用システム８の動作を制御する制御部６０と、を備えて構成される。
【００２７】
ここでは、排熱回収ユニット２０は、発電中の燃料電池２の排熱を回収して貯湯タンク１０の湯を昇温する。
【００２８】
貯湯タンク１０は中空略円柱状の密閉された容器であり、貯湯タンク１０の下部には給水口１１が、上部には出湯口１２が設けてある。給水口１１には、給水管７１が接続されており、冷たい水が給水口１１から貯湯タンク１０内に補給される。
【００２９】
貯湯タンク１０は、たとえば、容量１００リットル程度を有する。貯湯タンク１０には、底から２０、４０、６０、８０リットルの各水位の箇所、および、ほぼ１００リットルの水位の箇所にそれぞれ、その箇所の水温を検出する温度センサ１３（１３ａ〜１３ｅ）が設けてある。
【００３０】
排熱回収ユニット２０は、燃料電池２の排熱を回収するための排熱回収用熱交換器２１と、排熱回収用循環ポンプ２２を備えている。排熱回収ユニット２０の入側と貯湯タンクの下部取水口１４との間は熱回収低温配管２４で接続され、排熱回収ユニット２０の出側と貯湯タンク１０の上部戻り口１５との間は熱回収高温配管２５で接続されている。熱回収低温配管２４の途中には該配管内の水温を検出する熱回収低温側温度センサ２６が設けてある。熱回収高温配管２５の途中には該配管内の水温を検出する熱回収高温側温度センサ２７が設けてある。
【００３１】
貯湯タンク１０の下部取水口１４から出て熱回収低温配管２４、排熱回収ユニット２０、熱回収高温配管２５を経由し、上部戻り口１５から貯湯タンク１０に戻る経路を排熱回収回路とする。
【００３２】
水-水熱交換器５０は一次側熱交換配管５１と二次側熱交換配管５２を接触させて備え、これらの間で熱交換する。水-水熱交換器５０の一次側熱交換配管５１の入側と貯湯タンク１０の上部取水口１６は排熱利用高温配管５３で接続され、一次側熱交換配管５１の出側と貯湯タンク１０の下部戻り口１７は排熱利用低温配管５４で接続されている。排熱利用低温配管５４の途中には三方弁（タンク戻り三方弁５５）が接続されている。
【００３３】
詳細には、一次側熱交換配管５１の出側とタンク戻り三方弁５５の第１接続口が接続され、さらにタンク戻り三方弁５５の第２接続口と下部戻り口１７が接続されている。また、タンク戻り三方弁５５の第３接続口は貯湯タンク１０の中ほどの水位の箇所に設けられた中間戻り口１８にタンク中間戻り管５６で接続されている。タンク戻り三方弁５５の連通状態は、第１接続口と第２接続口とが連通し第３接続口が閉鎖された下側位置と、第１接続口と第３接続口とが連通し、第２接続口が閉鎖された中間位置とに切り替えることができる。
【００３４】
タンク戻り三方弁５５の第１接続口と水-水熱交換器５０の一次側熱交換配管５１の出側との間の排熱利用低温配管５４には第２循環ポンプ（蓄熱利用ポンプ５７）およびタンク戻り温度センサ５８が設けてある。
【００３５】
貯湯タンク１０の上部取水口１６から、水-水熱交換器５０の一次側熱交換配管５１を経て、中間戻り口１８もしくは下部戻り口１７から貯湯タンク１０に戻る経路を蓄熱利用循環回路とする。
【００３６】
給湯暖房器３０は、給水接続口３１から流入する湯水を加熱昇温して水栓やシャワー等へ送り出す（給湯する）給湯機能、および、床暖房マット４０に温水を循環させて暖房する暖房機能を備えている。
【００３７】
給湯機能に関して給湯暖房器３０は、給湯用熱交換器３２とこれを加熱する図示省略のバーナ等を有する。給水接続口３１から流入する湯水は該給湯用熱交換器３２を経由して出湯される。燃焼ガスを燃焼させるバーナで給湯用熱交換器３２を加熱することで、給湯用熱交換器３２を通る湯水が昇温される。給湯用熱交換器３２の出側には給湯温度を検出する給湯温度センサ３３が設けてある。
【００３８】
貯湯タンク１０の上部取水口１６と給湯暖房器３０の給水接続口３１とはバックアップ熱源機配管３４で接続されており、該バックアップ熱源機配管３４の途中には、給水管７１から分岐した給水分岐管３６が混合器３５を介して合流接続されている。給水分岐管３６の合流箇所より上流のバックアップ熱源機配管３４の途中にはその箇所を通る湯の温度を検出するタンク出口温度センサ３７が設けてあり、前記合流箇所より下流のバックアップ熱源機配管３４の途中には、混合温度センサ３８が設けてある。
【００３９】
暖房機能に関して、給湯暖房器３０は、暖房用熱交換器３９とこれを加熱する図示省略のバーナ等を備えており、暖房用熱交換器３９と、床暖房マット４０と、水-水熱交換器５０の二次側熱交換配管５２を経由する暖房回路(放熱回路)が形成される。詳細には、暖房用熱交換器３９の出側と床暖房マット４０の入側は暖房往き配管４１で接続され、床暖房マット４０の出側と、水-水熱交換器５０の二次側熱交換配管５２の入側との間は排熱利用配管４２で接続されている。また、水-水熱交換器５０の二次側熱交換配管５２の出側と、給湯暖房器３０が有する暖房用熱交換器３９の入側との間は暖房戻り配管４３で接続されている。
【００４０】
さらに、排熱利用配管４２の途中には三方弁（暖房切替弁４４）が介挿されている。詳細には、暖房切替弁４４の第１接続口に、床暖房マット４０の出側に至る側の排熱利用配管４２が接続され、第２接続口には水-水熱交換器５０の二次側熱交換配管５２の入側に至る側の排熱利用配管４２が接続されている。暖房切替弁４４の第３接続口には排熱利用バイパス管４５の一端が接続され、排熱利用バイパス管４５の他端は暖房戻り配管４３の途中に合流接続されている。暖房切替弁４４は、第１接続口と第２接続口を連通させ第３接続口を閉鎖した蓄熱側と、第１接続口と第３接続口を連通させ第２接続口を閉鎖した燃焼側とに切り替えることができる。
【００４１】
排熱利用バイパス管４５の合流箇所と暖房用熱交換器３９の入側との間の暖房戻り配管４３には第１循環ポンプ（暖房ポンプ４６）と、暖房戻り温度センサ４７が設けてある。暖房往き配管４１の途中には、暖房用熱交換器３９の出側から床暖房マット４０へ送り出される湯の温度を検出する暖房往き温度センサ４８が設けてある。
【００４２】
制御部６０は、排熱利用システム８の各種の動作を統括制御する。制御部６０は、ＣＰＵ（Central Processing Unit）、ＲＯＭ（Read Only Memory）、ＲＡＭ（Random Access Memory）などを主要部として構成される。制御部６０には、各種温度センサやその他のセンサが出力する検出結果を示す信号が入力されると共に、暖房ポンプ４６、蓄熱利用ポンプ５７、排熱回収用熱交換器２１の動作を指示する信号、タンク戻り三方弁５５や暖房切替弁４４の切り替えを指示する信号、混合器３５の制御信号などを出力する。また、制御部６０には各種運転のオンオフや温度設定等の操作の受け付けると共に、運転状況や設定温度等の表示を行う図示省略のリモコン（リモートコントローラ）が接続されている。
【００４３】
次に、排熱利用システム８における各種の動作について説明する。
【００４４】
＜給湯動作＞
給湯動作はシャワー等に湯を出す動作である。給湯動作において、貯湯タンク１０の上部に給湯設定温度を超える温度の湯があるときは、給湯用熱交換器３２用のバーナを燃焼させず、給湯設定温度の湯が出湯するように、混合器３５を調整する。貯湯タンク１０の上部に上記の動作が可能な温度の湯が十分ない場合には、給湯用熱交換器３２用のバーナを燃焼させ、貯湯タンク１０からバックアップ熱源機配管３４を通じて給水接続口３１へ流入した湯水を給湯設定温度に昇温して出湯する。この際、給湯用熱交換器３２用のバーナを最小燃焼させても出湯温度が給湯設定温度を超える場合には、混合器３５を調整して給水を混合するといった制御が行われる。なお、給湯動作では貯湯タンク１０の上部取水口１６から湯が出た分だけ、貯湯タンク１０下部の給水口１１から冷たい給水が貯湯タンク１０に補給される。
【００４５】
＜排熱回収動作＞
排熱回収動作では、排熱回収用循環ポンプ２２が駆動される。排熱回収用循環ポンプ２２が駆動されると、貯湯タンク１０の底部にある水が下部取水口１４から取り出され、熱回収低温配管２４、排熱回収ユニット２０（排熱回収用循環ポンプ２２、排熱回収用熱交換器２１）、熱回収高温配管２５を経て上部戻り口１５から貯湯タンク１０の上部に戻るように排熱回収回路を循環し、その途中の排熱回収ユニット２０を通る際に加熱される。このような動作により、貯湯タンク１０内部は、下部が低温、上部が高温の温度成層が形成される。
【００４６】
＜暖房運転＞
暖房運転には、貯湯タンク１０の上部の湯の熱を利用して暖房する蓄熱利用暖房運転(蓄熱利用運転)と、暖房用熱交換器３９用のバーナを燃焼させて得た熱で暖房する暖房燃焼運転（補助熱源機利用運転）があり、これらが状況に応じて切り替えられる。
【００４７】
暖房燃焼運転では、暖房切替弁４４を、水-水熱交換器５０をバイパスする燃焼側に設定し、暖房ポンプ４６を作動させ、暖房用熱交換器３９用のバーナを、暖房往き温度センサ４８の検出温度が目標値になるように燃焼させる。
【００４８】
蓄熱利用暖房運転では、暖房切替弁４４を、暖房回路の温水が水-水熱交換器５０の二次側熱交換配管５２を通る蓄熱側に設定し、暖房用熱交換器３９用のバーナの燃焼はオフにして暖房ポンプ４６を作動させる。さらに、タンク戻り三方弁５５を、湯水が下部戻り口１７から貯湯タンク１０に戻る下側位置または湯水が中間戻り口１８から貯湯タンク１０に戻る中間位置に設定して蓄熱利用ポンプ５７を作動させる。蓄熱利用暖房運転では、蓄熱利用循環回路に貯湯タンク１０の上部取水口１６から取り出した熱い湯を循環させ、該熱い湯の熱を、暖房回路側を循環する湯水に水-水熱交換器５０にて伝達することによって、暖房回路を循環する湯水を昇温する。
【００４９】
暖房運転の制御においては、暖房設定温度と室温(室温が低い)との差が大きい場合には床暖房マット４０へ高温（たとえば、６０℃）の湯を送り出す要求(暖房温度６０℃要求)が発生し、暖房設定温度と室温との差が小さい場合には床暖房マット４０へ低温（たとえば、４０℃）の湯を送り出す要求（暖房温度４０℃要求）が発生する。
【００５０】
ところで、蓄熱利用暖房運転を行う場合に、室内が暖まって床暖房マット４０での放熱量が減ると、貯湯タンク１０の上部取水口１６から取り出した熱い湯（たとえば、６０℃の湯）は、水-水熱交換器５０で熱交換されても３０℃〜４０℃程度までしか下がらずに貯湯タンク１０の下部に戻ってくる。そのため、このような状態で排熱回収動作を行うと、貯湯タンク１０の下部から取り出した４０℃の湯と排熱回収ユニット２０で熱交換して排熱回収することになり、燃料電池２の冷却能力が低下する。冷却能力が大きく低下すると、燃料電池２の発電を停止させなければならなくなる。
【００５１】
このような事態を回避するために、本発明では、蓄熱利用暖房運転の実行を所定条件に基づいて制限する。具体的には、蓄熱利用暖房運転の制御には、以下の５つの制御方針がある。
【００５２】
＜制御方針１＞
燃料電池２が停止中かつ燃料電池２の次の稼動予定（発電予定）時刻までに貯湯タンク１０からの給湯予定がある、という条件が成立しない場合は蓄熱利用暖房運転を選択しない（行わない）。
【００５３】
燃料電池２が停止中かつ燃料電池２の次の稼動予定（発電予定）時刻までに貯湯タンク１０からの給湯予定があれば、蓄熱利用暖房運転の実行によって貯湯タンク１０の下部の水温が上昇したとしても、次の発電開始までに、給湯利用によって冷たい水が貯湯タンク１０に補給される。したがって、蓄熱利用暖房運転を実行しても次回の燃料電池２の発電動作に影響を与えることはない。
【００５４】
＜制御方針２＞
暖房回路内の湯水の温度が所定の閾値以下でなければ、蓄熱利用暖房運転を選択しない（行わない）。すなわち、暖房動作が、所謂、コールドスタートであれば蓄熱利用暖房運転を許可し、既に暖まっている場合は蓄熱利用暖房運転を禁止する。
【００５５】
暖房運転がコールドスタートの状態であれば、床暖房マット４０での放熱量が大きいため、蓄熱利用暖房運転を行った場合に、水-水熱交換器５０の一次側熱交換配管５１からの戻り温度が低くなり、貯湯タンク１０の下部の水温の上昇が無い、もしくは少ない。そのため、排熱回収動作により燃料電池２の排熱を効率よく回収でき、燃料電池２の発電動作に支障を与えない。
【００５６】
＜制御方針３＞
暖房要求温度が所定温度以下（たとえば、４０℃以下）の場合は蓄熱利用暖房運転を選択可能とし、暖房要求温度が所定温度を超える場合は蓄熱利用暖房運転を選択しない(禁止する)。部屋が暖かいと暖房要求温度は低くなるので、貯湯タンク１０の上部が４０℃以上であれば、６０℃のように熱い湯がない場合でも蓄熱利用暖房運転が可能になる。なお、水-水熱交換器５０からの戻り温度が高くなれば、蓄熱利用暖房運転を停止させればよい。
【００５７】
＜制御方針４＞
水-水熱交換器５０の一次側熱交換配管５１からの戻り温度が、所定温度以下の場合は、水-水熱交換器５０からの戻り温水を下部戻り口１７から貯湯タンク１０内に戻し、所定温度を超える場合は中間戻り口１８から貯湯タンク１０内に戻す。
【００５８】
制御方針４は、蓄熱利用暖房運転をより長く継続させるための制御である。蓄熱利用暖房運転中に水-水熱交換器５０の一次側熱交換配管５１からの戻り温度が高くなった場合は、この湯を貯湯タンク１０の中間部に戻すようにタンク戻り三方弁５５を切り替える。これにより、貯湯タンク１０の下部の温度上昇を回避する。
【００５９】
＜制御方針５＞
水-水熱交換器５０の一次側熱交換配管５１からの戻り温度が所定温度を超えないように、暖房ポンプ４６および蓄熱利用ポンプ５７による湯水の循環量を制御する。
【００６０】
制御方針５は、蓄熱利用暖房運転をより長く継続するための制御である。一次側熱交換配管５１からの戻り温度が高くなってきたとき、蓄熱利用ポンプ５７の回転数を下げる、暖房ポンプ４６の回転数を増加させる、といった制御により、水-水熱交換器５０における熱交換の効率を高くして、戻り温度を下げる。
【００６１】
以下、上記１〜５の制御方針を単独で採用した場合もしくは複数組み合わせた場合における暖房運転の動作の詳細を流れ図に基づいて説明する。なお、制御方針４を実施しない場合には、図１の構成においてタンク戻り三方弁５５、中間戻り口１８、タンク中間戻り管５６は不要であり、排熱利用低温配管５４は、水-水熱交換器５０の一次側熱交換配管５１の出側と貯湯タンク１０の下部戻り口１７を接続すればよい。
【００６２】
図２は、制御方針１を単独で採用した場合における暖房運転の流れを示している。リモコンにて暖房運転がオンにされると（ステップＳ１０１）、制御部６０は、まず、暖房ポンプ４６をオンにする（ステップＳ１０２）。そして、貯湯タンク１０の上部に６０℃以上の熱い湯があるか否かを判断する（ステップＳ１０３）。貯湯タンク１０の上部に６０℃以上の熱い湯がなければ(ステップＳ１０３;Ｎｏ)、ステップＳ１０９に移行して暖房燃焼運転を行う。
【００６３】
貯湯タンク１０の上部に６０℃の湯がある場合は（ステップＳ１０３;Ｙｅｓ）、燃料電池２が発電停止中か否かを調べる(ステップＳ１０４)。燃料電池２が発電停止中でなければ（ステップＳ１０４;Ｎｏ）、ステップＳ１０９へ移行して暖房燃焼運転を行う。燃料電池２が発電停止中ならば（ステップＳ１０４;Ｙｅｓ）、次回の発電予定までに給湯利用の予定（たとえば、風呂の湯張りの予約設定）があるか否かを調べる（ステップＳ１０５）。次回の発電予定までに給湯利用の予定がなければ(ステップＳ１０５;Ｎｏ)、ステップＳ１０９へ移行して暖房燃焼運転を行う。
【００６４】
次回の発電予定までに給湯利用の予定があれば（ステップＳ１０５;Ｙｅｓ）、蓄熱利用ポンプ５７をオンにし、暖房切替弁４４を蓄熱側にして、蓄熱利用暖房運転を開始する（ステップＳ１０６）。なお、タンク戻り三方弁５５は下側位置に固定とする。ステップＳ１０４、Ｓ１０５が制御方針１の制御に該当する。
【００６５】
蓄熱利用暖房運転の実行中は、貯湯タンク１０の上部に６０℃以上の湯があるか否かを監視し（ステップＳ１０７）、貯湯タンク１０の上部に６０℃以上の湯が有る間は（ステップＳ１０７;Ｎｏ）、蓄熱利用暖房運転を継続する。貯湯タンク１０の上部の湯の温度が６０℃未満になったら（ステップＳ１０７;Ｙｅｓ）、蓄熱利用暖房運転を停止する(ステップＳ１０８)。具体的には、蓄熱利用ポンプ５７を停止して、ステップＳ１０９へ移行する。なお、制御方針１の制御では、発電開始前に冷たい水が貯湯タンク１０の下部に補給される予定があるので、貯湯タンク１０の下部への戻り温度が４０℃以上となるか否かに関する監視は行わない。
【００６６】
ステップＳ１０９では、暖房切替弁４４を水-水熱交換器５０の二次側熱交換配管５２をバイパスする燃焼側に切り替えて、暖房燃焼運転を開始する。
【００６７】
その後、リモコン操作により暖房運転がオフにされたら（ステップＳ１１０）、暖房切替弁４４を燃焼側とし、暖房ポンプ４６を停止して、暖房燃焼運転（暖房用熱交換器３９用のバーナの燃焼もオフにする）を停止する（ステップＳ１１１）。
【００６８】
図３は、制御方針２を単独で採用した場合における暖房運転の流れを示している。リモコンで暖房運転がオンにされると（ステップＳ２０１）、制御部６０は、暖房ポンプ４６をオンにする（ステップＳ２０２）。そして、暖房回路内の湯水の温度が所定の閾値以下か否か（コールドスタートか否か）を判断する（ステップＳ２０３）。暖房回路内の湯水の温度が所定の閾値以下でなければ(ステップＳ２０３;Ｎｏ)、ステップＳ２１０に移行して暖房燃焼運転を行う。ステップＳ２０３の判断が制御方針２に該当する。
【００６９】
暖房回路内の湯水の温度が所定の閾値以下ならば(ステップＳ２０３;Ｙｅｓ)、貯湯タンク１０の上部に６０℃以上の熱い湯があるか否かを判断する（ステップＳ２０４）。貯湯タンク１０の上部に６０℃以上の熱い湯がなければ(ステップＳ２０４;Ｎｏ)、ステップＳ２１０に移行して暖房燃焼運転を行う。
【００７０】
貯湯タンク１０の上部に６０℃以上の湯がある場合は（ステップＳ２０４;Ｙｅｓ）、蓄熱利用ポンプ５７をオンにし、暖房切替弁４４を蓄熱側に設定して、蓄熱利用暖房運転を開始する（ステップＳ２０５）。なお、タンク戻り三方弁５５は下側位置に固定とする。
【００７１】
蓄熱利用暖房運転の実行中は、暖房回路内の湯の温度が閾値以下であるか否か(ステップＳ２０６)、貯湯タンク１０の上部に６０℃以上の湯があるか否か（ステップＳ２０７）、水-水熱交換器５０から貯湯タンク１０の下部への戻り温度が４０℃以上か否かを監視する（ステップＳ２０８）。暖房回路内の温度が閾値以下であり(ステップＳ２０６;Ｙｅｓ)かつ貯湯タンク１０の上部に６０℃以上の湯があり（ステップＳ２０７;Ｙｅｓ）かつ貯湯タンク１０の下部への戻り温度が４０℃未満の場合（ステップＳ２０８;Ｎｏ）は、蓄熱利用暖房運転を継続する。
【００７２】
暖房回路内の温度が閾値以下でない場合(ステップＳ２０６;Ｎｏ)もしくは、貯湯タンク１０の上部の湯の温度が６０℃未満になった場合（ステップＳ２０７;Ｎｏ）もしくは、貯湯タンク１０の下部への戻り温度が４０℃以上になった場合（ステップＳ２０８;Ｙｅｓ）は、蓄熱利用暖房運転を停止し、蓄熱利用ポンプ５７を停止する(ステップＳ２０９)。ステップＳ２０６の判断も制御方針２に該当する。
【００７３】
その後、暖房切替弁４４を水-水熱交換器５０の二次側熱交換配管５２をバイパスする燃焼側に切り替えて、暖房燃焼運転を開始する（ステップＳ２１０）。リモコン操作により暖房運転がオフにされたら（ステップＳ２１１）、暖房切替弁４４を燃焼側とし、暖房ポンプ４６を停止して、暖房燃焼運転を停止する（ステップＳ２１２）。
【００７４】
図４は、制御方針１と制御方針２を組み合わせた場合における暖房運転の流れを示している。図３と同一の処理には図３と同じステップ番号を付してある。図４の処理では、ステップＳ２０４の後ろに、制御方針１に対応する処理として、ステップＳ２０４−０１とステップＳ２０４−０２が付加されている。その他は図３と同一でありその説明は省略する。
【００７５】
ステップＳ２０４−０１では、燃料電池２が発電停止中か否かを調べ、発電中でなければ（ステップＳ２０４−０１;Ｎｏ）、ステップＳ２１０に移行して暖房燃焼運転を行う。燃料電池２が発電停止中ならば（ステップＳ２０４−０１;Ｙｅｓ）、次回の発電予定までに給湯利用の予定があるか否かを調べる（ステップＳ２０４−０２）。次回の発電予定までに給湯利用の予定がなければ(ステップＳ２０４−０２;Ｎｏ)、ステップＳ２１０に移行して暖房燃焼運転を行う。次回の発電予定までに給湯利用の予定があれば（ステップＳ２０４−０２;Ｙｅｓ）、蓄熱利用暖房運転を開始する（ステップＳ２０５）。
【００７６】
図５は、制御方針３を単独で採用した場合における暖房運転の流れを示している。リモコンにて暖房運転がオンにされると（ステップＳ３０１）、制御部６０は、暖房ポンプ４６をオンにし、暖房切替弁４４を燃焼側に設定して暖房燃焼運転を開始する（ステップＳ３０２）。
【００７７】
その後、暖房温度の要求が暖房温度４０℃要求でない（ステップＳ３０３;Ｎｏ）、もしくは暖房温度の要求が暖房温度４０℃要求であるが貯湯タンク１０の上部に４０℃以上の湯がない場合は(ステップＳ３０４;Ｎｏ)、暖房燃焼運転を継続する。
【００７８】
暖房温度４０℃要求があり(ステップＳ３０３;Ｙｅｓ)、かつ貯湯タンク１０の上部に４０℃の以上の湯がある場合は（ステップＳ３０４;Ｙｅｓ）、暖房燃焼運転を停止して（暖房用熱交換器３９用のバーナをオフにし）、蓄熱利用ポンプ５７をオン、暖房切替弁４４を蓄熱側に切り替えて、蓄熱利用暖房運転を開始する（ステップＳ３０５）。
【００７９】
貯湯タンク１０の上部に４０℃以上の湯があり（ステップＳ３０６;Ｙｅｓ）かつ水-水熱交換器５０から貯湯タンク１０の下部への戻り温度が４０℃未満（ステップＳ３０７;Ｎｏ）の間は蓄熱利用暖房運転を継続する。
【００８０】
貯湯タンク１０の上部に４０℃以上の湯がない状態（ステップＳ３０６;Ｎｏ）もしくは水-水熱交換器５０から貯湯タンク１０の下部への戻り温度が４０℃以上になったら（ステップＳ３０７;Ｙｅｓ）、蓄熱利用ポンプ５７を停止して、蓄熱利用暖房運転を停止する(ステップＳ３０８)。そして、暖房切替弁４４を燃焼側に切り替え、暖房用熱交換器３９用のバーナを燃焼させる暖房燃焼運転を開始する(ステップＳ３０９)。
【００８１】
その後、リモコン操作により暖房運転がオフにされたら（ステップＳ３１０）、暖房切替弁４４を燃焼側とし、暖房ポンプ４６を停止して、暖房燃焼運転を停止する（ステップＳ３１１）。
【００８２】
図６は、制御方針３と制御方針１を組み合わせた場合の暖房運転の流れを示している。図５と同一の処理には図５と同一のステップ番号を付してその説明を省略する。図６の処理では、ステップＳ３０４の後ろに、制御方針１に対応する処理として、燃料電池２が発電停止中か否かを調べるステップＳ３０４−０１と、次回の発電予定までに給湯利用の予定があるか否かを調べるステップＳ３０４−０２が付加されている。その他は図５と同一である。
【００８３】
図７、図８は、制御方針３と制御方針２を組み合わせた場合の暖房運転を示す流れ図である。リモコンにて暖房運転がオンにされると（ステップＳ３３１）、制御部６０は、暖房ポンプ４６をオンにする（ステップＳ３３２）。そして、暖房回路内の湯水の温度が所定の閾値以下か否かを判断する（ステップＳ３３３、制御方針２）。暖房回路内の湯水の温度が所定の閾値以下でなければ(ステップＳ３３３;Ｎｏ)、ステップＳ３４０に移行して暖房燃焼運転を行う。
【００８４】
暖房回路内の湯水の温度が所定の閾値以下ならば(ステップＳ３３３;Ｙｅｓ)、貯湯タンク１０の上部に６０℃以上の熱い湯があるか否かを判断する（ステップＳ３３４）。貯湯タンク１０の上部に６０℃以上の熱い湯がなければ(ステップＳ３３４;Ｎｏ)、ステップＳ３４０に移行して暖房燃焼運転を行う。
【００８５】
貯湯タンク１０の上部に６０℃以上の湯がある場合は（ステップＳ３３４;Ｙｅｓ）、蓄熱利用ポンプ５７をオンにし、暖房切替弁４４を蓄熱側にして、蓄熱利用暖房運転を開始する（ステップＳ３３５）。なお、タンク戻り三方弁５５は下側位置に固定とする。
【００８６】
蓄熱利用暖房運転の実行中は、暖房回路内の温度が閾値以下であるか否か(ステップＳ３３６、制御方針２)、貯湯タンク１０の上部に６０℃以上の湯があるか否か（ステップＳ３３７）、水-水熱交換器５０から貯湯タンク１０の下部への戻り温度が４０℃以上になったか否か（ステップＳ３３８）を監視する。暖房回路内の温度が閾値以下であり(ステップＳ３３６;Ｙｅｓ)かつ貯湯タンク１０の上部に６０℃以上の湯があり（ステップＳ３３７;Ｙｅｓ）かつ貯湯タンク１０の下部への戻り温度が４０℃未満（ステップＳ３３８;Ｎｏ）の間は、蓄熱利用暖房運転を継続する。
【００８７】
暖房回路内の温度が閾値以下でない場合(ステップＳ３３６;Ｎｏ)もしくは、貯湯タンク１０の上部の湯の温度が６０℃未満になった場合（ステップＳ３３７;Ｎｏ）もしくは、貯湯タンク１０の下部への戻り温度が４０℃以上になった場合（ステップＳ３３８;Ｙｅｓ）は、蓄熱利用暖房運転を停止し、蓄熱利用ポンプ５７を停止する(ステップＳ３３９)。その後、暖房切替弁４４を水-水熱交換器５０の二次側熱交換配管５２をバイパスする燃焼側に切り替えて暖房燃焼運転を開始する（ステップＳ３４０）。
【００８８】
暖房燃焼運転中は、暖房の要求温度と貯湯タンク１０上部の湯の温度を監視する。暖房温度４０℃要求でない（６０℃要求）（ステップＳ３４１;Ｎｏ）、もしくは暖房温度４０℃要求であるが(ステップＳ３４１;Ｙｅｓ)貯湯タンク１０の上部に４０℃以上の湯がない(ステップＳ３４２;Ｎｏ)場合は、暖房燃焼運転を継続する。
【００８９】
暖房燃焼運転中に、暖房温度４０℃要求となり(ステップＳ３４１;Ｙｅｓ)、かつ貯湯タンク１０の上部に４０℃の以上の湯がある（ステップＳ３４２;Ｙｅｓ）状態になると、暖房燃焼運転を停止して（暖房用熱交換器３９用のバーナをオフにし）、蓄熱利用ポンプ５７をオン、暖房切替弁４４を蓄熱側に切り替えて、蓄熱利用暖房運転を開始する（ステップＳ３４３）。
【００９０】
蓄熱利用暖房運転の実行中は、貯湯タンク１０の上部の湯温と下部への戻り温度を監視する。貯湯タンク１０の上部に４０℃以上の湯があり（ステップＳ３４４;Ｙｅｓ）かつ貯湯タンク１０下部への戻り温度が４０℃未満(ステップＳ３４５;Ｎｏ)の間は蓄熱利用暖房運転を継続する。
【００９１】
貯湯タンク１０の上部に４０℃以上の湯がない状態（ステップＳ３４４;Ｎｏ）もしくは、貯湯タンク１０の下部への戻り温度が４０℃以上になったら（ステップＳ３４５;Ｙｅｓ）、蓄熱利用ポンプ５７を停止して、蓄熱利用暖房運転を停止する(ステップＳ３４６)。そして、暖房切替弁４４を燃焼側に切り替えて暖房燃焼運転を開始する(ステップＳ３４７)。
【００９２】
その後、リモコン操作により暖房運転がオフにされたら（ステップＳ３４８）、暖房切替弁４４を燃焼側とし、暖房ポンプ４６を停止させ、暖房燃焼運転を停止する（ステップＳ３４９）。
【００９３】
図９、図１０は、制御方針３と制御方針２と制御方針１を組み合わせた場合の暖房運転を示す流れ図である。図７、図８と同一部分には同一のステップ番号を付してある。図９では、図７のステップＳ３３４の後ろに、制御方針１に対応する処理として、燃料電池２が発電停止中か否かを調べるステップＳ３３４−０１と、次回の発電予定までに給湯利用の予定があるか否かを調べるステップＳ３３４−０２が付加されている。図１０では、図８のステップＳ３４２の後ろに、制御方針１に対応する処理として、燃料電池２が発電停止中か否かを調べるステップＳ３４２−０１と、次回の発電予定までに給湯利用の予定があるか否かを調べるステップＳ３４２−０２が付加されている。
【００９４】
図１１は、制御方針４と制御方針１を組み合わせた場合の暖房運転を示す流れ図である。リモコンにて暖房運転がオンにされると（ステップＳ４０１）、制御部６０は、暖房ポンプ４６をオンにし（ステップＳ４０２）、貯湯タンク１０の上部に６０℃以上の熱い湯があるか否かを判断する（ステップＳ４０３）。貯湯タンク１０の上部に６０℃以上の熱い湯がなければ(ステップＳ４０３;Ｎｏ)、ステップＳ４１３に移行して暖房燃焼運転を行う。
【００９５】
貯湯タンク１０の上部に６０℃の湯がある場合は（ステップＳ４０３;Ｙｅｓ）、燃料電池２が発電停止中か否かを調べる(ステップＳ４０４)。燃料電池２が発電停止中でなければ（ステップＳ４０４;Ｎｏ）、ステップＳ４１３に移行して暖房燃焼運転を行う。燃料電池２が発電停止中ならば（ステップＳ４０４;Ｙｅｓ）、次回の発電予定までに給湯利用の予定があるか否かを調べる（ステップＳ４０５）。次回の発電予定までに給湯利用の予定がなければ(ステップＳ４０５;Ｎｏ)、ステップＳ４１３に移行して暖房燃焼運転を行う。
【００９６】
次回の発電予定までに給湯利用の予定があれば（ステップＳ３０５;Ｙｅｓ）、蓄熱利用ポンプ５７をオンにし、暖房切替弁４４を蓄熱側にし、さらに、タンク戻り三方弁５５を下側位置に設定して、蓄熱利用暖房運転を開始する（ステップＳ４０６）。
【００９７】
蓄熱利用暖房運転の実行中は、貯湯タンク１０の上部と水-水熱交換器５０から貯湯タンク１０への戻り温度を監視する。貯湯タンク１０の上部の６０℃以上の湯があり（ステップＳ４０７;Ｙｅｓ）、かつ戻り温度が４０℃未満(ステップＳ４０８;Ｎｏ)の間は、タンク戻り三方弁５５を下側位置に維持して蓄熱利用暖房運転を行う。貯湯タンク１０の上部に６０℃以上の湯があるが（ステップＳ４０７;Ｙｅｓ）戻り温度が４０℃以上になった場合は（ステップＳ４０８;Ｎｏ）、タンク戻り三方弁５５を中間位置に切り替える（ステップＳ４０９、制御方針４）。
【００９８】
その後は、貯湯タンク１０の上部の６０℃以上の湯があり（ステップＳ４１０;Ｙｅｓ）かつ貯湯タンク１０への戻り温度が５０℃未満(ステップＳ４１１;Ｎｏ)の間は、戻り位置を中間位置とした蓄熱利用暖房運転を継続する。貯湯タンク１０内の温度成層が形成されているので、中間位置に戻す場合は戻り温度５０℃まで許容する。
【００９９】
蓄熱利用暖房運転の実行中に貯湯タンク１０の上部に６０℃以上の湯がない状態になったら（ステップＳ４０７;Ｎｏ、または、ステップＳ４１０;Ｎｏ）、蓄熱利用ポンプ５７をオフにして蓄熱利用暖房運転を停止する(ステップＳ４１２)。
【０１００】
ステップＳ４１３では、暖房切替弁４４を燃焼側に切り替えて暖房燃焼運転を開始する。その後、リモコン操作により暖房運転がオフにされたら（ステップＳ４１４）、暖房切替弁４４を燃焼側とし、暖房ポンプ４６を停止して、暖房燃焼運転を停止する（ステップＳ４１５）。
【０１０１】
図１２は、制御方針４と制御方針２を組み合わせた場合の暖房運転を示す流れ図である。リモコンにて暖房運転がオンにされると（ステップＳ４３１）、制御部６０は、暖房ポンプ４６をオンにする（ステップＳ４３２）。そして、暖房回路内の湯水の温度が所定の閾値以下か否かを判断する（ステップＳ４３３）。暖房回路内の湯水の温度が所定の閾値以下でなければ(ステップＳ４３３;Ｎｏ)、ステップＳ４４４に移行して暖房燃焼運転を行う。
【０１０２】
暖房回路内の湯水の温度が所定の閾値以下ならば(ステップＳ４３３;Ｙｅｓ)、貯湯タンク１０の上部に６０℃以上の熱い湯があるか否かを判断する（ステップＳ４３４）。貯湯タンク１０の上部に６０℃以上の熱い湯がなければ(ステップＳ４３４;Ｎｏ)、ステップＳ４４４に移行して暖房燃焼運転を行う。
【０１０３】
貯湯タンク１０の上部に６０℃の湯がある場合は（ステップＳ４３４;Ｙｅｓ）、蓄熱利用ポンプ５７をオンにし、暖房切替弁４４を蓄熱側にし、タンク戻り三方弁５５を下側位置にして、蓄熱利用暖房運転を開始する（ステップＳ４３５）。
【０１０４】
蓄熱利用暖房運転の実行中は、暖房回路内の温度が閾値以下であるか否か(ステップＳ４３６)、貯湯タンク１０の上部に６０℃以上の湯があるか否か（ステップＳ４３７）、水-水熱交換器５０から貯湯タンク１０への戻り温度が４０℃以下か否かを監視する（ステップＳ４３８）。暖房回路内の温度が閾値以下であり(ステップＳ４３６;Ｙｅｓ)、貯湯タンク１０の上部の湯の温度が６０℃以上あり（ステップＳ４３７;Ｙｅｓ）、水-水熱交換器５０から貯湯タンク１０への戻り温度が４０未満（ステップＳ４３８;Ｎｏ）の状態が継続する間は、タンク戻り三方弁５５を下側位置に維持して蓄熱利用暖房運転を行う。
【０１０５】
暖房回路内の温度が閾値以下であり(ステップＳ４３６;Ｙｅｓ)、貯湯タンク１０の上部の湯の温度が６０℃以上あるが（ステップＳ４３７;Ｙｅｓ）、水-水熱交換器５０から貯湯タンク１０への戻り温度が４０以上になった場合は（ステップＳ４３８;Ｙｅｓ）、タンク戻り三方弁５５を中間位置に切り替える（ステップＳ４３９、制御方針４）。その後、暖房回路内の温度が閾値以下であり(ステップＳ４３６;Ｙｅｓ)、貯湯タンク１０の上部の６０℃以上の湯があり（ステップＳ４１０;Ｙｅｓ）かつ貯湯タンク１０下部への戻り温度が５０℃未満(ステップＳ４４２;Ｎｏ)の間は、戻り位置を中間位置とした蓄熱利用暖房運転を継続する。
【０１０６】
蓄熱利用暖房運転の実行中に、暖房回路内の温度が閾値以下でない(ステップＳ４３６;Ｎｏ、またはステップＳ４４０;Ｎｏ)、もしくは貯湯タンク１０の上部に６０℃以上の湯がない（ステップＳ４３７;Ｎｏ、またはステップＳ４４１;Ｎｏ）、もしくは貯湯タンク１０への戻り温度が５０℃以上になったら（ステップＳ４４２;Ｙｅｓ）、蓄熱利用ポンプ５７をオフにして蓄熱利用暖房運転を停止する(ステップＳ４４３)。
【０１０７】
その後、暖房切替弁４４を、水-水熱交換器５０の二次側熱交換配管５２をバイパスする燃焼側に切り替えて暖房燃焼運転を開始する（ステップＳ４４４）。リモコン操作により暖房運転がオフにされたら（ステップＳ４４５）、暖房切替弁４４を燃焼側とし、暖房ポンプ４６を停止して、暖房燃焼運転を停止する（ステップＳ４４６）。
【０１０８】
図１３は、制御方針４と制御方針２と制御方針１を組み合わせた場合の暖房運転の流れを示している。図１２と同一の処理には図１２と同一のステップ番号を付してその説明を省略する。図１３の処理では、ステップＳ４３４の後ろに、制御方針１に対応する処理として、燃料電池２が発電停止中か否かを調べるステップＳ４３４−０１と、次回の発電予定までに給湯利用の予定があるか否かを調べるステップＳ４３４−０２が付加されている。その他は図１２と同一である。
【０１０９】
図１４は、制御方針４と制御方針３を組み合わせた場合の暖房運転の流れを示している。リモコンにて暖房運転がオンにされると（ステップＳ４５１）、制御部６０は、暖房ポンプ４６をオンにし、暖房切替弁４４を燃焼側に設定して暖房燃焼運転を開始する（ステップＳ４５２）。
【０１１０】
暖房燃焼運転中は、暖房の要求温度と貯湯タンク１０上部の湯の温度を監視する。暖房温度４０℃要求でない（６０℃要求）（ステップＳ４５３;Ｎｏ）、もしくは暖房温度４０℃要求であるが(ステップＳ４５３;Ｙｅｓ)貯湯タンク１０の上部に４０℃以上の湯がない(ステップＳ４５４;Ｎｏ)場合は、暖房燃焼運転を継続する。
【０１１１】
暖房温度４０℃要求があり(ステップＳ４５３;Ｙｅｓ)、かつ貯湯タンク１０の上部に４０℃の以上の湯がある状態になると（ステップＳ４５４;Ｙｅｓ）、暖房燃焼運転を停止して（暖房用熱交換器３９用のバーナをオフにし）、蓄熱利用ポンプ５７をオン、暖房切替弁４４を蓄熱側、タンク戻り三方弁５５を下側位置に切り替えて、蓄熱利用暖房運転を開始する（ステップＳ４５５）。
【０１１２】
その後、貯湯タンク１０の上部に４０℃以上の湯があり(ステップＳ４５６;Ｙｅｓ)かつ水-水熱交換器５０から貯湯タンク１０への戻り温度が３０℃未満(ステップＳ４５７;Ｎｏ)の状態が継続する間は、タンク戻り三方弁５５を下側位置としたままで蓄熱利用暖房運転を継続する。
【０１１３】
貯湯タンク１０の上部に４０℃以上の湯があり(ステップＳ４５６;Ｙｅｓ)かつ水-水熱交換器５０から貯湯タンク１０への戻り温度が３０℃以上の状態になったら(ステップＳ４５７;Ｙｅｓ)、タンク戻り三方弁５５を中間位置に切り替える（ステップＳ４５８）。その後、貯湯タンク１０の上部に４０℃以上の湯があり(ステップＳ４５９;Ｙｅｓ)かつ水-水熱交換器５０から貯湯タンク１０への戻り温度が４０℃未満(ステップＳ４６０;Ｎｏ)の状態が継続する間は、タンク戻り三方弁５５を中間位置としたままで蓄熱利用暖房運転を継続する。
【０１１４】
貯湯タンク１０の上部に４０℃以上の湯がない（ステップＳ４５６;Ｎｏ、またはステップＳ４５９;Ｎｏ）、もしくは、水-水熱交換器５０から貯湯タンク１０への戻り温度が４０℃以上になったら(ステップＳ４６０;Ｙｅｓ)、蓄熱利用ポンプ５７を停止して、蓄熱利用暖房運転を停止し、さらに暖房切替弁４４を燃焼側に切り替えて暖房燃焼運転を開始する(ステップＳ４６１)。
【０１１５】
その後、リモコン操作により暖房運転がオフにされたら（ステップＳ４６２）、暖房切替弁４４を燃焼側とし、暖房ポンプ４６を停止して暖房燃焼運転を停止する（ステップＳ４６３）。
【０１１６】
図１５は、制御方針４と制御方針３と制御方針１を組み合わせた場合の暖房運転の流れを示している。図１４と同一の処理には図１４と同一のステップ番号を付してその説明を省略する。図１５の処理では、ステップＳ４５４の後ろに、制御方針１に対応する処理として、燃料電池２が発電停止中か否かを調べるステップＳ４５４−０１と、次回の発電予定までに給湯利用の予定があるか否かを調べるステップＳ４５４−０２が付加されている。その他は図１４と同一である。
【０１１７】
図１６、図１７は、制御方針４と制御方針３と制御方針２を組み合わせた場合の暖房運転の流れを示す図である。リモコンにて暖房運転がオンにされると（ステップＳ４７１）、制御部６０は、暖房ポンプ４６をオンにする（ステップＳ４７２）。そして、暖房回路内の湯水の温度が所定の閾値以下か否かを判断する（ステップＳ４７３）。暖房回路内の湯水の温度が所定の閾値以下でなければ(ステップＳ４７３;Ｎｏ)、ステップＳ４８０に移行して暖房燃焼運転を行う。
【０１１８】
暖房回路内の湯水の温度が所定の閾値以下ならば(ステップＳ４７３;Ｙｅｓ)、貯湯タンク１０の上部に６０℃以上の熱い湯があるか否かを判断する（ステップＳ４７４）。貯湯タンク１０の上部に６０℃以上の熱い湯がなければ(ステップＳ４７４;Ｎｏ)、ステップＳ４８０に移行して暖房燃焼運転を行う。
【０１１９】
貯湯タンク１０の上部に６０℃の湯がある場合は（ステップＳ４７４;Ｙｅｓ）、蓄熱利用ポンプ５７をオンにし、暖房切替弁４４を蓄熱側にして、蓄熱利用暖房運転を開始する（ステップＳ４７５）。このときタンク戻り三方弁５５は下側位置とする。
【０１２０】
蓄熱利用暖房運転の実行中は、暖房回路内の温度が閾値以下であるか否か(ステップＳ４７６)、貯湯タンク１０の上部に６０℃以上の湯があるか否か（ステップＳ４７７）、水-水熱交換器５０から貯湯タンク１０への戻り温度が４０℃以上か否か（ステップＳ４７８）を監視する。暖房回路内の温度が閾値以下であり(ステップＳ４７６;Ｙｅｓ)かつ貯湯タンク１０の上部に６０℃以上の湯があり（ステップＳ４７７;Ｙｅｓ）かつ貯湯タンク１０の下部への戻り温度が４０℃未満の間は、蓄熱利用暖房運転を継続する。
【０１２１】
暖房回路内の温度が閾値以下でない場合(ステップＳ４７６;Ｎｏ)もしくは、貯湯タンク１０の上部の湯の温度が６０℃未満になった場合（ステップＳ４７７;Ｎｏ）もしくは、貯湯タンク１０の下部への戻り温度が４０℃以上になった場合（ステップＳ４７８;Ｙｅｓ）は、蓄熱利用ポンプ５７を停止して、蓄熱利用暖房運転を停止する(ステップＳ４７９)。
【０１２２】
ステップＳ４８０では、暖房切替弁４４を水-水熱交換器５０の二次側熱交換配管５２をバイパスする燃焼側に切り替えて暖房燃焼運転を開始する。
【０１２３】
暖房燃焼運転中は、暖房の要求温度と貯湯タンク１０上部の湯の温度を監視する。暖房温度４０℃要求でない（６０℃要求）（ステップＳ４８１;Ｎｏ）、もしくは暖房温度４０℃要求であるが(ステップＳ４８１;Ｙｅｓ)貯湯タンク１０の上部に４０℃以上の湯がない(ステップＳ４８２;Ｎｏ)場合は、暖房燃焼運転を継続する。
【０１２４】
室温があがって暖房温度４０℃要求となり(ステップＳ４８１;Ｙｅｓ)かつ貯湯タンク１０の上部に４０℃の以上の湯の有る状態になると（ステップＳ４８２;Ｙｅｓ）、暖房燃焼運転を停止し（暖房用熱交換器３９用のバーナをオフにし）、蓄熱利用ポンプ５７をオン、暖房切替弁４４を蓄熱側、タンク戻り三方弁５５を下側位置に切り替えて、蓄熱利用暖房運転を開始する（ステップＳ４８３）。
【０１２５】
蓄熱利用暖房運転の実行中は、貯湯タンク１０の上部の湯温と水-水熱交換器５０から貯湯タンク１０への戻り温度を監視する。貯湯タンク１０に４０℃以上の湯があり(ステップＳ４８４;Ｙｅｓ)かつ水-水熱交換器５０から貯湯タンク１０への戻り温度が３０℃未満(ステップＳ４８５;Ｎｏ)の状態が継続する間は、蓄熱利用暖房運転を継続する。
【０１２６】
貯湯タンク１０の上部に４０℃以上の湯があり(ステップＳ４８４;Ｙｅｓ)かつ水-水熱交換器５０から貯湯タンク１０への戻り温度が３０℃以上の状態になったら(ステップＳ４８５;Ｙｅｓ)、タンク戻り三方弁５５を中間位置に切り替える（ステップＳ４８６）。その後、貯湯タンク１０の上部に４０℃以上の湯があり(ステップＳ４８７;Ｙｅｓ)かつ水-水熱交換器５０から貯湯タンク１０への戻り温度が４０℃未満(ステップＳ４８８;Ｎｏ)の状態が継続する間は、タンク戻り三方弁５５を中間位置としたまま蓄熱利用暖房運転を継続する。
【０１２７】
貯湯タンク１０の上部に４０℃以上の湯がない（ステップＳ４８４;Ｎｏ、またはステップＳ４８７;Ｎｏ）、もしくは、水-水熱交換器５０から貯湯タンク１０への戻り温度が４０℃以上になったら(ステップＳ４８８;Ｙｅｓ)、蓄熱利用ポンプ５７を停止して、蓄熱利用暖房運転を停止し、さらに暖房切替弁４４を燃焼側に切り替えて暖房燃焼運転を開始する(ステップＳ４８９)。
【０１２８】
その後、リモコン操作により暖房運転がオフにされたら（ステップＳ４９０）、暖房切替弁４４を燃焼側とし、暖房ポンプ４６を停止して暖房燃焼運転を停止する（ステップＳ４９１）。
【０１２９】
図１８、図１９は、制御方針４と制御方針３と制御方針２と制御方針１を組み合わせた場合の暖房運転の流れを示している。図１６、図１７と同一の処理には図１６、図１７と同一のステップ番号を付してその説明を省略する。図１８の処理では、ステップＳ４７４の後ろに、制御方針１に対応する処理として、燃料電池２が発電停止中か否かを調べるステップＳ４７４−０１と、次回の発電予定までに給湯利用の予定があるか否かを調べるステップＳ４７４−０２が付加されている。図１９の処理では、ステップＳ４８２の後ろに、制御方針１に対応する処理として、燃料電池２が発電停止中か否かを調べるステップＳ４８２−０１と、次回の発電予定までに給湯利用の予定があるか否かを調べるステップＳ４８２−０２が付加されている。その他は図１６、図１７と同一である。
【０１３０】
図２０は、制御方針５と制御方針１を組み合わせた場合の暖房運転を示す流れ図である。リモコンにて暖房運転がオンにされると（ステップＳ５０１）、制御部６０は、暖房ポンプ４６をオンにし（ステップＳ５０２）、貯湯タンク１０の上部に６０℃以上の熱い湯があるか否かを判断する（ステップＳ５０３）。貯湯タンク１０の上部に６０℃以上の熱い湯がなければ(ステップＳ５０３;Ｎｏ)、ステップＳ５１４に移行して暖房燃焼運転を行う。
【０１３１】
貯湯タンク１０の上部に６０℃の湯がある場合は（ステップＳ５０３;Ｙｅｓ）、燃料電池２が発電停止中か否かを調べる(ステップＳ５０４)。燃料電池２が発電停止中でなければ（ステップＳ５０４;Ｎｏ）、に移行して暖房燃焼運転を行う。燃料電池２が発電停止中ならば（ステップＳ５０４;Ｙｅｓ）、次回の発電予定までに給湯利用の予定があるか否かを調べる（ステップＳ５０５）。次回の発電予定までに給湯利用の予定がなければ(ステップＳ５０５;Ｎｏ)、ステップＳ５１４へ移行に移行して暖房燃焼運転を行う。
【０１３２】
次回の発電予定までに給湯利用の予定があれば（ステップＳ５０５;Ｙｅｓ）、蓄熱利用ポンプ５７をオンにし、蓄熱利用ポンプ５７および暖房ポンプ４６の回転数を通常回転数とし、暖房切替弁４４を蓄熱側にして、蓄熱利用暖房運転を開始する（ステップＳ５０６）。なお、タンク戻り三方弁５５は下側位置に固定とする。
【０１３３】
蓄熱利用暖房運転の実行中は、貯湯タンク１０の上部と水-水熱交換器５０から貯湯タンク１０の下部への戻り温度を監視する。貯湯タンク１０の上部の６０℃以上の湯があり（ステップＳ５０７;Ｙｅｓ）、かつ下部への戻り温度が４０℃未満(ステップＳ５０８;Ｎｏ)の間は、そのまま蓄熱利用暖房運転を継続する。
【０１３４】
貯湯タンク１０の上部に６０℃以上の湯があり（ステップＳ５０７;Ｙｅｓ）下部への戻りが４０℃以上になったら（ステップＳ５０８;Ｙｅｓ）、蓄熱利用ポンプ５７の回転数が下限に至っているか否かを調べる（ステップＳ５０９）。蓄熱利用ポンプ５７の回転数が下限でなければ（ステップＳ５０９;Ｎｏ）、蓄熱利用ポンプ５７の回転数を所定量下げて（ステップＳ５１１）、ステップＳ５０７に戻り、蓄熱利用暖房運転を継続する。
【０１３５】
蓄熱利用ポンプ５７の回転数が既に下限ならば(ステップＳ５０９;Ｙｅｓ)、暖房ポンプ４６の回転数が下限か否かを調べる（ステップＳ５１０）。暖房ポンプ４６の回転数が下限でなければ（ステップＳ５１０;Ｎｏ）、暖房ポンプ４６の回転数を所定量下げて（ステップＳ５１２）、ステップＳ５０７に戻り、蓄熱利用暖房運転を継続する。
【０１３６】
暖房ポンプ４６の回転数が下限の場合(ステップＳ５１０;Ｙｅｓ)、もしくは、貯湯タンク１０の上部に６０℃以上の湯がない状態になったら（ステップＳ５０７;Ｎｏ）、蓄熱利用ポンプ５７をオフにして蓄熱利用暖房運転を停止する(ステップＳ５１３)。そして、暖房切替弁４４を燃焼側に切り替え、暖房ポンプ４６の回転数を通常に戻して、暖房燃焼運転を開始する(ステップＳ５１４)。
【０１３７】
その後、リモコン操作により暖房運転がオフにされたら（ステップＳ５１５）、暖房切替弁４４を燃焼側とし、暖房ポンプ４６を停止して、暖房燃焼運転を停止する（ステップＳ５１６）。
【０１３８】
図２１は、制御方針５と制御方針２を組み合わせた場合の暖房運転を示す流れ図である。リモコンにて暖房運転がオンにされると（ステップＳ５２１）、制御部６０は、暖房ポンプ４６をオンにする（ステップＳ５２２）。そして、暖房回路内の湯水の温度が所定の閾値以下か否かを判断する（ステップＳ５２３）。暖房回路内の湯水の温度が所定の閾値以下でなければ(ステップＳ５２３;Ｎｏ)、ステップＳ５３４に移行して暖房燃焼運転を行う。
【０１３９】
暖房回路内の湯水の温度が所定の閾値以下ならば(ステップＳ５２３;Ｙｅｓ)、貯湯タンク１０の上部に６０℃以上の熱い湯があるか否かを判断する（ステップＳ５２４）。貯湯タンク１０の上部に６０℃以上の熱い湯がなければ(ステップＳ５２４;Ｎｏ)、ステップＳ５３４に移行して暖房燃焼運転を行う。
【０１４０】
貯湯タンク１０の上部に６０℃の湯がある場合は（ステップＳ５２４;Ｙｅｓ）、蓄熱利用ポンプ５７をオンにし、蓄熱利用ポンプ５７および暖房ポンプ４６の回転数を通常回転数とし、暖房切替弁４４を蓄熱側にして、蓄熱利用暖房運転を開始する（ステップＳ５２５）。なお、タンク戻り三方弁５５は下側位置に固定とする。
【０１４１】
蓄熱利用暖房運転の実行中は、暖房回路内の温度と、貯湯タンク１０の上部の湯温と水-水熱交換器５０から貯湯タンク１０への戻り温度を監視する。暖房回路内の温度が閾値以下で(ステップＳ５２６;Ｙｅｓ)、貯湯タンク１０の上部の６０℃以上の湯があり（ステップＳ５２７;Ｙｅｓ）かつ戻り温度が４０℃未満(ステップＳ５２８;Ｎｏ)の間は、そのまま蓄熱利用暖房運転を継続する。
【０１４２】
暖房回路内の温度が閾値以下で(ステップＳ５２６;Ｙｅｓ)、貯湯タンク１０の上部に６０℃以上の湯があるが（ステップＳ５２７;Ｙｅｓ）貯湯タンク１０への戻り温度が４０℃以上になったら（ステップＳ５２８;Ｎｏ）、蓄熱利用ポンプ５７の回転数が下限に至っているか否かを調べる（ステップＳ５２９）。蓄熱利用ポンプ５７の回転数が下限でなければ（ステップＳ５２９;Ｎｏ）、蓄熱利用ポンプ５７の回転数を所定量下げて（ステップＳ５３１）、ステップＳ５２６に戻り、蓄熱利用暖房運転を継続する。
【０１４３】
蓄熱利用ポンプ５７の回転数が既に下限ならば(ステップＳ５２９;Ｙｅｓ)、暖房ポンプ４６の回転数が下限か否かを調べる（ステップＳ５３０）。暖房ポンプ４６の回転数が下限でなければ（ステップＳ５３０;Ｎｏ）、暖房ポンプ４６の回転数を所定量下げて（ステップＳ５３２）、ステップＳ５２６に戻り、蓄熱利用暖房運転を継続する。
【０１４４】
暖房ポンプ４６の回転数が下限の場合(ステップＳ５３０;Ｙｅｓ)、もしくは、暖房回路内の温度が閾値を超える場合（ステップＳ５２６;Ｙｅｓ）、もしくは貯湯タンク１０の上部に６０℃以上の湯がない状態になったら（ステップＳ５２７;Ｎｏ）、蓄熱利用ポンプ５７をオフにして蓄熱利用暖房運転を停止する(ステップＳ５３３)。そして、暖房切替弁４４を燃焼側に切り替え、暖房ポンプ４６の回転数を通常に戻して、暖房燃焼運転を開始する(ステップＳ５３４)。
【０１４５】
その後、リモコン操作により暖房運転がオフにされたら（ステップＳ５３５）、暖房切替弁４４を燃焼側とし、暖房ポンプ４６を停止して、暖房燃焼運転を停止する（ステップＳ５３６）。
【０１４６】
図２２は、制御方針５と制御方針２と制御方針１を組み合わせた場合の暖房運転の流れを示している。図２１と同一の処理には図２１と同一のステップ番号を付してその説明を省略する。図２２の処理では、ステップＳ５２４の後ろに、制御方針１に対応する処理として、燃料電池２が発電停止中か否かを調べるステップＳ５２４−０１と、次回の発電予定までに給湯利用の予定があるか否かを調べるステップＳ５２４−０２が付加されている。その他は図２１と同一である。
【０１４７】
図２３は、制御方針５と制御方針３を組み合わせた場合の暖房運転の流れを示している。リモコンにて暖房運転がオンにされると（ステップＳ５４１）、制御部６０は、暖房ポンプ４６をオンにし、暖房切替弁４４を燃焼側に設定して暖房燃焼運転を開始する（ステップＳ５４２）。
【０１４８】
暖房燃焼運転中は、暖房の要求温度と貯湯タンク１０上部の湯の温度を監視する。暖房温度４０℃要求でない（６０℃要求）（ステップＳ５４３;Ｎｏ）、もしくは暖房温度４０℃要求であるが(ステップＳ５４３;Ｙｅｓ)貯湯タンク１０の上部に４０℃以上の湯がない(ステップＳ５４４;Ｎｏ)場合は、暖房燃焼運転を継続する。
【０１４９】
暖房温度４０℃要求があり(ステップＳ５４３;Ｙｅｓ)、かつ貯湯タンク１０の上部に４０℃の以上の湯がある状態になると（ステップＳ５４４;Ｙｅｓ）、蓄熱利用ポンプ５７をオンにし、蓄熱利用ポンプ５７および暖房ポンプ４６の回転数を通常回転数とし、暖房切替弁４４を蓄熱側にして、蓄熱利用暖房運転を開始する（ステップＳ５４５）。なお、タンク戻り三方弁５５は下側位置に固定とする。
【０１５０】
蓄熱利用暖房運転の実行中は、貯湯タンク１０の上部の湯温と水-水熱交換器５０から貯湯タンク１０への戻り温度を監視する。貯湯タンク１０の上部に４０℃以上の湯があり（ステップＳ５４６;Ｙｅｓ）、かつ戻り温度が４０℃未満(ステップＳ５４７;Ｎｏ)の間は、そのまま蓄熱利用暖房運転を継続する。
【０１５１】
貯湯タンク１０の上部に４０℃以上の湯があるが（ステップＳ５４６;Ｙｅｓ）戻り温度が４０℃以上になった場合は（ステップＳ５４７;Ｙｅｓ）、蓄熱利用ポンプ５７の回転数が下限に至っているか否かを調べる(ステップＳ５４８)。蓄熱利用ポンプ５７の回転数が下限でなければ（ステップＳ５４８;Ｎｏ）、蓄熱利用ポンプ５７の回転数を所定量下げて（ステップＳ５５０）、ステップＳ５４６に戻り、蓄熱利用暖房運転を継続する。
【０１５２】
蓄熱利用ポンプ５７の回転数が既に下限ならば(ステップＳ５４８;Ｙｅｓ)、暖房ポンプ４６の回転数が下限か否かを調べる（ステップＳ５４９）。暖房ポンプ４６の回転数が下限でなければ（ステップＳ５４９;Ｎｏ）、暖房ポンプ４６の回転数を所定量下げて（ステップＳ５５１）、ステップＳ５４６に戻り、蓄熱利用暖房運転を継続する。
【０１５３】
暖房ポンプ４６の回転数が下限の場合(ステップＳ５４９;Ｙｅｓ)、もしくは、貯湯タンク１０の上部に４０℃以上の湯がない状態（ステップＳ５４６;Ｎｏ）、もしくは暖房ポンプ４６の回転数が下限（ステップＳ
５４９;Ｙｅｓ)ならば、蓄熱利用ポンプ５７をオフにして蓄熱利用暖房運転を停止する(ステップＳ５５２)。そして、暖房切替弁４４を燃焼側に切り替え、暖房ポンプ４６の回転数を通常に戻して、暖房燃焼運転を開始する(ステップＳ５５３)。
【０１５４】
その後、リモコン操作により暖房運転がオフにされたら（ステップＳ５５４）、暖房切替弁４４を燃焼側とし、暖房ポンプ４６を停止して、暖房燃焼運転を停止する（ステップＳ５５５）。
【０１５５】
図２４は、制御方針５と制御方針３と制御方針１を組み合わせた場合の暖房運転の流れを示している。図２３と同一の処理には図２３と同一のステップ番号を付してその説明を省略する。図２４の処理では、ステップＳ５４４の後ろに、制御方針１に対応する処理として、燃料電池２が発電停止中か否かを調べるステップＳ５４４−０１と、次回の発電予定までに給湯利用の予定があるか否かを調べるステップＳ５４４−０２が付加されている。その他は図２３と同一である。
【０１５６】
図２５、図２６は、制御方針５と制御方針３と制御方針２を組み合わせた場合の暖房運転の流れを示している。制御の前半は、図２１のステップＳ５２１〜Ｓ５３４までと同一であり図２１と同一のステップ番号を付してある。制御の後半は、図２３のステップＳ５４３〜ステップＳ５５５までと同一であり図２３と同一のステップ番号を付してある。
【０１５７】
図２７、図２８は、制御方針５と制御方針３と制御方針２と制御方針１を組み合わせた場合の暖房運転の流れを示している。制御の前半は、図２２のステップＳ５２１〜Ｓ５３４（ステップ５２４−０１、Ｓ５２４−０２を含む）までと同一であり図２２と同一のステップ番号を付してある。制御の後半は図２４のステップＳ５４３〜ステップＳ５５５までと同一であり図２３と同一のステップ番号を付してある。
【０１５８】
図２９は、制御方針５と制御方針４と制御方針１を組み合わせた場合の暖房運転を示す流れ図である。リモコンにて暖房運転がオンにされると（ステップＳ５６１）、制御部６０は、暖房ポンプ４６をオンにし（ステップＳ５６２）、貯湯タンク１０の上部に６０℃以上の熱い湯があるか否かを判断する（ステップＳ５６３）。貯湯タンク１０の上部に６０℃以上の熱い湯がなければ(ステップＳ５６３;Ｎｏ)、ステップＳ５８１に移行して暖房燃焼運転を行う。
【０１５９】
貯湯タンク１０の上部に６０℃の湯がある場合は（ステップＳ５６３;Ｙｅｓ）、燃料電池２が発電停止中か否かを調べる(ステップＳ５６４)。燃料電池２が発電停止中でなければ（ステップＳ５６４;Ｎｏ）、ステップＳ５８１へ移行する。燃料電池２が発電停止中ならば（ステップＳ５６４;Ｙｅｓ）、次回の発電予定までに給湯利用の予定があるか否かを調べる（ステップＳ５６５）。次回の発電予定までに給湯利用の予定がなければ(ステップＳ５６５;Ｎｏ)、ステップＳ５８１へ移行する。
【０１６０】
次回の発電予定までに給湯利用の予定があれば（ステップＳ５６５;Ｙｅｓ）、蓄熱利用ポンプ５７をオンにし、暖房切替弁４４を蓄熱側にし、タンク戻り三方弁５５を下側位置に設定し、蓄熱利用ポンプ５７および暖房ポンプ４６の回転数を通常回転数として蓄熱利用暖房運転を開始する（ステップＳ５６６）。
【０１６１】
蓄熱利用暖房運転の実行中は、貯湯タンク１０の上部の湯温と、水-水熱交換器５０から貯湯タンク１０への戻り温度を監視する。貯湯タンク１０の上部に６０℃以上の湯がない状態になったら（ステップＳ５６７;Ｎｏ）、ステップＳ５８０に移行して蓄熱利用暖房運転を停止する。貯湯タンク１０の上部に６０℃以上の湯があり（ステップＳ５６７;Ｙｅｓ）、かつ貯湯タンク１０の下部への戻り温度が４０℃未満(ステップＳ５６８;Ｎｏ)の間は、そのまま蓄熱利用暖房運転を継続する。
【０１６２】
貯湯タンク１０の上部に６０℃以上の湯があり（ステップＳ５６７;Ｙｅｓ）貯湯タンク１０の下部への戻り温度が４０℃以上になったら（ステップＳ５６８;Ｙｅｓ）、蓄熱利用ポンプ５７の回転数が下限に至っているか否かを調べる（ステップＳ５６９）。蓄熱利用ポンプ５７の回転数が下限でなければ（ステップＳ５６９;Ｎｏ）、蓄熱利用ポンプ５７の回転数を所定量下げて（ステップＳ５７１）、ステップＳ５０６に戻り、蓄熱利用暖房運転を継続する。
【０１６３】
蓄熱利用ポンプ５７の回転数が既に下限ならば(ステップＳ５６９;Ｙｅｓ)、暖房ポンプ４６の回転数が下限か否かを調べる（ステップＳ５７０）。暖房ポンプ４６の回転数が下限でなければ（ステップＳ５７０;Ｎｏ）、暖房ポンプ４６の回転数を所定量下げて（ステップＳ５７２）、ステップＳ５６７に戻り、蓄熱利用暖房運転を継続する。
【０１６４】
暖房ポンプ４６の回転数が下限の場合(ステップＳ５７０;Ｙｅｓ)、タンク戻り三方弁５５を中間位置に切り替え、蓄熱利用ポンプ５７、暖房ポンプ４６を共に通常の回転数に戻す（ステップＳ５７３）。その後は、貯湯タンク１０の上部の湯温と貯湯タンク１０の中間部への戻り温度を監視する。
【０１６５】
貯湯タンク１０の上部に６０℃以上の湯があり（ステップＳ５７４;Ｙｅｓ）かつ水-水熱交換器５０から貯湯タンク１０の中間部への戻り温度が５０℃未満(ステップＳ５７５;Ｎｏ)の間は、そのまま蓄熱利用暖房運転を継続する。
【０１６６】
貯湯タンク１０の上部に６０℃以上の湯があり（ステップＳ５７４;Ｙｅｓ）、貯湯タンク１０の中間部への戻り温度が５０℃以上になったら（ステップＳ５７５;Ｙｅｓ）、蓄熱利用ポンプ５７の回転数が下限に至っているか否かを調べる（ステップＳ５７６）。蓄熱利用ポンプ５７の回転数が下限でなければ（ステップＳ５７６;Ｎｏ）、蓄熱利用ポンプ５７の回転数を所定量下げて（ステップＳ５７８）、ステップＳ５７４に戻り、蓄熱利用暖房運転を継続する。
【０１６７】
蓄熱利用ポンプ５７の回転数が既に下限ならば(ステップＳ５７６;Ｙｅｓ)、暖房ポンプ４６の回転数が下限か否かを調べる（ステップＳ５７７）。暖房ポンプ４６の回転数が下限でなければ（ステップＳ５７７;Ｎｏ）、暖房ポンプ４６の回転数を所定量下げて（ステップＳ５７９）、ステップＳ５７４に戻り、蓄熱利用暖房運転を継続する。
【０１６８】
暖房ポンプ４６の回転数が下限の場合(ステップＳ５７７;Ｙｅｓ)、もしくは、貯湯タンク１０の上部に６０℃以上の湯がない状態になったら（ステップＳ５７４;Ｎｏ）、蓄熱利用ポンプ５７をオフにして蓄熱利用暖房運転を停止する(ステップＳ５８０)。そして、暖房切替弁４４を燃焼側に切り替え、暖房ポンプ４６の回転数を通常に戻して、暖房燃焼運転を開始する(ステップＳ５８１)。
【０１６９】
その後、リモコン操作により暖房運転がオフにされたら（ステップＳ５８２）、暖房切替弁４４を燃焼側とし、暖房ポンプ４６を停止して、暖房燃焼運転を停止する（ステップＳ５８３）。
【０１７０】
図３０は、制御方針５と制御方針４と制御方針２を組み合わせた場合の暖房運転を示す流れ図である。リモコンにて暖房運転がオンにされると（ステップＳ６０１）、制御部６０は、暖房ポンプ４６をオンにする（ステップＳ６０２）。そして、暖房回路内の湯水の温度が所定の閾値以下か否かを判断する（ステップＳ６０３）。暖房回路内の湯水の温度が所定の閾値以下でなければ(ステップＳ６０３;Ｎｏ)、ステップＳ６２２に移行して暖房燃焼運転を行う。
【０１７１】
暖房回路内の湯水の温度が所定の閾値以下ならば(ステップＳ６０３;Ｙｅｓ)、貯湯タンク１０の上部に６０℃以上の熱い湯があるか否かを判断する（ステップＳ６０４）。貯湯タンク１０の上部に６０℃以上の熱い湯がなければ(ステップＳ６０４;Ｎｏ)、ステップＳ６２２に移行して暖房燃焼運転を行う。
【０１７２】
貯湯タンク１０の上部に６０℃の湯がある場合は（ステップＳ６０４;Ｙｅｓ）、蓄熱利用ポンプ５７をオンにし、暖房切替弁４４を蓄熱側にし、タンク戻り三方弁５５を下側位置に設定し、蓄熱利用ポンプ５７および暖房ポンプ４６の回転数を通常回転数として蓄熱利用暖房運転を開始する（ステップＳ６０５）。
【０１７３】
蓄熱利用暖房運転の実行中は、暖房回路内の温度と、貯湯タンク１０の上部の湯温と水-水熱交換器５０から貯湯タンク１０への戻り温度を監視する。暖房回路内の温度が閾値以下でない場合(ステップＳ６０６;Ｎｏ)もしくは貯湯タンク１０の上部の６０℃以上の湯がない場合（ステップＳ６０７;Ｎｏ）は、ステップＳ６２１に移行して蓄熱利用暖房運転を停止する。
【０１７４】
暖房回路内の温度が閾値以下で(ステップＳ６０６;Ｙｅｓ)、貯湯タンク１０の上部の６０℃以上の湯があり（ステップＳ６０７;Ｙｅｓ）かつ貯湯タンク１０への戻り温度が４０℃未満(ステップＳ６０８;Ｎｏ)の間は蓄熱利用暖房運転を継続する。
【０１７５】
暖房回路内の温度が閾値以下で(ステップＳ６０６;Ｙｅｓ)、貯湯タンク１０の上部に６０℃以上の湯があるが（ステップＳ６０７;Ｙｅｓ）貯湯タンク１０下部への戻り温度が４０℃以上になったら（ステップＳ６０８;Ｙｅｓ）、蓄熱利用ポンプ５７の回転数が下限に至っているか否かを調べる（ステップＳ６０９）。蓄熱利用ポンプ５７の回転数が下限でなければ（ステップＳ６０９;Ｎｏ）、蓄熱利用ポンプ５７の回転数を所定量下げて（ステップ６１１）、ステップＳ６０６に戻り、蓄熱利用暖房運転を継続する。
【０１７６】
蓄熱利用ポンプ５７の回転数が既に下限ならば(ステップＳ６０９;Ｙｅｓ)、暖房ポンプ４６の回転数が下限か否かを調べる（ステップＳ６１０）。暖房ポンプ４６の回転数が下限でなければ（ステップＳ６１０;Ｎｏ）、暖房ポンプ４６の回転数を所定量下げて（ステップＳ６１２）、ステップＳ６０６に戻り、蓄熱利用暖房運転を継続する。
【０１７７】
暖房ポンプ４６の回転数が下限の場合(ステップＳ６１０;Ｙｅｓ)、タンク戻り三方弁５５を中間側に切り替え、蓄熱利用ポンプ５７、暖房ポンプ４６を共に通常の回転数に戻す(ステップＳ６１３)。その後は、暖房回路内の温度と貯湯タンク１０上部の湯温と貯湯タンク１０の中間部への戻り温度を監視する。
【０１７８】
暖房回路内の温度が閾値以下で(ステップＳ６１４;Ｙｅｓ)、貯湯タンク１０の上部の６０℃以上の湯があり（ステップＳ６１５;Ｙｅｓ）かつ貯湯タンク１０の中間部への戻り温度が５０℃未満(ステップＳ６１６;Ｎｏ)の間は、そのまま蓄熱利用暖房運転を継続する。
【０１７９】
暖房回路内の温度が閾値以下で(ステップＳ６１４;Ｙｅｓ)、貯湯タンク１０の上部に６０℃以上の湯があるが（ステップＳ６１５;Ｙｅｓ）貯湯タンク１０の中間部への戻り温度が５０℃以上になったら（ステップＳ６１６;Ｙｅｓ）、蓄熱利用ポンプ５７の回転数が下限に至っているか否かを調べる（ステップＳ６１７）。蓄熱利用ポンプ５７の回転数が下限でなければ（ステップＳ６１７;Ｎｏ）、蓄熱利用ポンプ５７の回転数を所定量下げて（ステップ６１９）、ステップＳ６１４に戻り、蓄熱利用暖房運転を継続する。
【０１８０】
蓄熱利用ポンプ５７の回転数が既に下限ならば(ステップＳ６１７;Ｙｅｓ)、暖房ポンプ４６の回転数が下限か否かを調べる（ステップＳ６１８）。暖房ポンプ４６の回転数が下限でなければ（ステップＳ６１８;Ｎｏ）、暖房ポンプ４６の回転数を所定量下げて（ステップＳ６２０）、ステップＳ６１４に戻り、蓄熱利用暖房運転を継続する。
【０１８１】
暖房ポンプ４６の回転数が下限の場合(ステップＳ６１８;Ｙｅｓ)、もしくは、暖房回路内の温度が閾値を超える場合（ステップＳ６１４;Ｎｏ）、もしくは貯湯タンク１０の上部に６０℃以上の湯がない状態になったら（ステップＳ６１５;Ｎｏ）、蓄熱利用ポンプ５７をオフにして蓄熱利用暖房運転を停止する(ステップＳ６２１)。そして、暖房切替弁４４を燃焼側に切り替え、暖房ポンプ４６の回転数を通常に戻して、暖房燃焼運転を開始する(ステップＳ６２２)。
【０１８２】
その後、リモコン操作により暖房運転がオフにされたら（ステップＳ６２３）、暖房切替弁４４を燃焼側とし、暖房ポンプ４６を停止して、暖房燃焼運転を停止する（ステップＳ６２４）。
【０１８３】
図３１は、制御方針５と制御方針４と制御方針２と制御方針１を組み合わせた場合の暖房運転の流れを示している。図３０と同一の処理には図３０と同一のステップ番号を付してその説明を省略する。図３１の処理では、ステップＳ６０４の後ろに、制御方針１に対応する処理として、燃料電池２が発電停止中か否かを調べるステップＳ６０４−０１と、次回の発電予定までに給湯利用の予定があるか否かを調べるステップＳ６０４−０２が付加されている。その他は図３０と同一である。
【０１８４】
図３２は、制御方針５と制御方針４と制御方針３を組み合わせた場合の暖房運転の流れを示している。リモコンにて暖房運転がオンにされると（ステップＳ６３１）、制御部６０は、暖房ポンプ４６をオンにし、暖房切替弁４４を燃焼側に設定して暖房燃焼運転を開始する（ステップＳ６３２）。
【０１８５】
暖房燃焼運転中は、暖房の要求温度と貯湯タンク１０上部の湯温を監視する。暖房温度４０℃要求でない（６０℃要求）（ステップＳ６３３;Ｎｏ）、もしくは暖房温度４０℃要求であるが(ステップＳ６３３;Ｙｅｓ)貯湯タンク１０の上部に４０℃以上の湯がない(ステップＳ６３４;Ｎｏ)場合は、暖房燃焼運転を継続する。
【０１８６】
暖房温度４０℃要求があり(ステップＳ６３３;Ｙｅｓ)、かつ貯湯タンク１０の上部に４０℃の以上の湯がある状態になると（ステップＳ６３４;Ｙｅｓ）、暖房燃焼運転を停止して（暖房用熱交換器３９用のバーナをオフにし）、蓄熱利用ポンプ５７をオン、暖房切替弁４４を蓄熱側、タンク戻り三方弁５５を下側に切り替え、蓄熱利用ポンプ５７、暖房ポンプ４６を通常回転数に設定して蓄熱利用暖房運転を開始する（ステップＳ６３５）。
【０１８７】
蓄熱利用暖房運転の実行中は、貯湯タンク１０の上部の湯温と、水-水熱交換器５０から貯湯タンク１０下部への戻り温度を監視する。貯湯タンク１０の上部の４０℃以上の湯がなければ（ステップＳ６３６;Ｎｏ）、ステップＳ６４９へ移行し、蓄熱利用暖房運転を停止して暖房燃焼運転に切り替える。
【０１８８】
貯湯タンク１０の上部に４０℃以上の湯があり（ステップＳ６３６;Ｙｅｓ）かつ貯湯タンク１０の下部への戻り温度が３０℃未満(ステップＳ６３７;Ｎｏ)の間は、そのまま蓄熱利用暖房運転を継続する。貯湯タンク１０の上部に４０℃以上の湯があり（ステップＳ６３６;Ｙｅｓ）貯湯タンク１０の下部への戻り温度が３０℃以上になったら（ステップＳ６３７;Ｙｅｓ）、蓄熱利用ポンプ５７の回転数が下限に至っているか否かを調べる（ステップＳ６３８）。
【０１８９】
蓄熱利用ポンプ５７の回転数が下限でなければ（ステップＳ６３８;Ｎｏ）、蓄熱利用ポンプ５７の回転数を所定量下げて（ステップＳ６４０）、ステップＳ６３６に戻り、蓄熱利用暖房運転を継続する。蓄熱利用ポンプ５７の回転数が既に下限ならば(ステップＳ６３８;Ｙｅｓ)、暖房ポンプ４６の回転数が下限か否かを調べる（ステップＳ６３９）。暖房ポンプ４６の回転数が下限でなければ（ステップＳ６３９;Ｎｏ）、暖房ポンプ４６の回転数を所定量下げて（ステップＳ６４１）、ステップＳ６３６７に戻り、蓄熱利用暖房運転を継続する。
【０１９０】
暖房ポンプ４６の回転数が下限の場合は(ステップＳ６３９;Ｙｅｓ)、タンク戻り三方弁５５を中間位置に切り替え、蓄熱利用ポンプ５７、暖房ポンプ４６を共に通常の回転数に戻す（ステップＳ６４２）。その後は、貯湯タンク１０上部の湯温と貯湯タンク１０の中間部への戻り温度を監視する。
【０１９１】
貯湯タンク１０の上部の４０℃以上の湯があり（ステップＳ６４３;Ｙｅｓ）かつ水-水熱交換器５０から貯湯タンク１０の中間部への戻り温度が４０℃未満(ステップＳ６４４;Ｎｏ)の間は、そのまま蓄熱利用暖房運転を継続する。貯湯タンク１０の上部に４０℃以上の湯があるが（ステップＳ６４３;Ｙｅｓ）、貯湯タンク１０の中間部への戻り温度が４０℃以上になったら（ステップＳ６４４;Ｙｅｓ）、蓄熱利用ポンプ５７の回転数が下限に至っているか否かを調べる（ステップＳ６４５）。
【０１９２】
蓄熱利用ポンプ５７の回転数が下限でなければ（ステップＳ６４５;Ｎｏ）、蓄熱利用ポンプ５７の回転数を所定量下げて（ステップＳ６４７）、ステップＳ６４３に戻り、蓄熱利用暖房運転を継続する。蓄熱利用ポンプ５７の回転数が既に下限ならば(ステップＳ６４５;Ｙｅｓ)、暖房ポンプ４６の回転数が下限か否かを調べる（ステップＳ６４６）。暖房ポンプ４６の回転数が下限でなければ（ステップＳ６４６;Ｎｏ）、暖房ポンプ４６の回転数を所定量下げて（ステップＳ６４８）、ステップＳ６４３に戻り、蓄熱利用暖房運転を継続する。
【０１９３】
暖房ポンプ４６の回転数が下限の場合(ステップＳ６４６;Ｙｅｓ)、もしくは、貯湯タンク１０の上部に４０℃以上の湯がない状態になったら（ステップＳ６４３;Ｎｏ）、蓄熱利用ポンプ５７をオフにして蓄熱利用暖房運転を停止し、暖房切替弁４４を燃焼側に切り替え、暖房ポンプ４６の回転数を通常に戻して、暖房燃焼運転を開始する(ステップＳ６４９)。
【０１９４】
その後、リモコン操作により暖房運転がオフにされたら（ステップＳ６５０）、暖房切替弁４４を燃焼側とし、暖房ポンプ４６を停止して、暖房燃焼運転を停止する（ステップＳ６５１）。
【０１９５】
図３３は、制御方針５と制御方針４と制御方針３と制御方針１を組み合わせた場合の暖房運転の流れを示している。図３２と同一の処理には図３２と同一のステップ番号を付してその説明を省略する。図３３の処理では、ステップＳ６３４の後ろに、制御方針１に対応する処理として、燃料電池２が発電停止中か否かを調べるステップＳ６３４−０１と、次回の発電予定までに給湯利用の予定があるか否かを調べるステップＳ６３４−０２が付加されている。その他は図３２と同一である。
【０１９６】
図３４、図３５は、制御方針５と制御方針４と制御方針３と制御方針２を組み合わせた場合の暖房運転の流れを示している。リモコンにて暖房運転がオンにされると（ステップＳ６６１）、制御部６０は、暖房ポンプ４６をオンにする（ステップＳ６６２）。そして、暖房回路内の湯水の温度が所定の閾値以下か否かを判断する（ステップＳ６６３）。暖房回路内の湯水の温度が所定の閾値以下でなければ(ステップＳ６６３;Ｎｏ)、ステップＳ６６９に移行して暖房燃焼運転を行う。
【０１９７】
暖房回路内の湯水の温度が所定の閾値以下ならば(ステップＳ６６３;Ｙｅｓ)、貯湯タンク１０の上部に６０℃以上の熱い湯があるか否かを判断する（ステップＳ６６４）。貯湯タンク１０の上部に６０℃以上の熱い湯がなければ(ステップＳ６６４;Ｎｏ)、ステップＳ６６９に移行して暖房燃焼運転を行う。
【０１９８】
貯湯タンク１０の上部に６０℃の湯がある場合は（ステップＳ６６４;Ｙｅｓ）、蓄熱利用ポンプ５７をオンにし、暖房切替弁４４を蓄熱側にして、蓄熱利用暖房運転を開始する（ステップＳ６６５）。
【０１９９】
蓄熱利用暖房運転の実行中は、暖房回路内の温度が閾値以下であるか否か(ステップＳ６６６)、貯湯タンク１０の上部に６０℃以上の湯があるか否か（ステップＳ６６７）、水-水熱交換器５０から貯湯タンク１０下部への戻り温度が４０℃以上になったか否か（ステップＳ６６８）を監視する。
【０２００】
暖房回路内の温度が閾値以下であり(ステップＳ６６６;Ｙｅｓ)かつ貯湯タンク１０の上部に６０℃以上の湯があり（ステップＳ６６７;Ｙｅｓ）かつ貯湯タンク１０下部への戻り温度が４０℃未満の場合（ステップＳ６６８;Ｎｏ）は、そのまま蓄熱利用暖房運転を継続する。
【０２０１】
暖房回路内の温度が閾値以下でない場合(ステップＳ６６６;Ｎｏ)もしくは、貯湯タンク１０の上部の湯の温度が６０℃未満になった場合（ステップＳ６６７;Ｎｏ）もしくは、貯湯タンク１０下部への戻り温度が４０℃以上になった場合（ステップＳ６６８;Ｙｅｓ）は、蓄熱利用ポンプ５７を停止して、蓄熱利用暖房運転を停止する(ステップＳ６６９)。そして、暖房切替弁４４を、水-水熱交換器５０の二次側熱交換配管５２をバイパスする燃焼側に切り替えて暖房燃焼運転を開始する（ステップＳ６７０）。
【０２０２】
暖房燃焼運転中は、暖房の要求温度と貯湯タンク１０上部の湯の温度を監視する。暖房温度４０℃要求でない（６０℃要求）（ステップＳ６７１;Ｎｏ）、もしくは暖房温度４０℃要求であるが(ステップＳ６７１;Ｙｅｓ)貯湯タンク１０の上部に４０℃以上の湯がない(ステップＳ６７２;Ｎｏ)場合は、暖房燃焼運転を継続する。
【０２０３】
室温があがって暖房温度４０℃要求となり(ステップＳ６７１;Ｙｅｓ)、かつ貯湯タンク１０の上部に４０℃の以上の湯の有る状態になると（ステップＳ６７２;Ｙｅｓ）、暖房燃焼運転を停止し（暖房用熱交換器３９用のバーナをオフにし）、蓄熱利用ポンプ５７をオン、暖房切替弁４４を蓄熱側、タンク戻り三方弁５５を下側位置に切り替え、蓄熱利用ポンプ５７、暖房ポンプ４６を通常の回転数に設定して蓄熱利用暖房運転を開始する（ステップＳ６７３）。
【０２０４】
蓄熱利用暖房運転の実行中は、貯湯タンク１０の上部の湯温と、水-水熱交換器５０から貯湯タンク１０への戻り温度を監視する。貯湯タンク１０の上部に４０℃以上の湯がなくなると(ステップＳ６７４;Ｎｏ)、ステップＳ６８７に移行して、蓄熱利用暖房運転を終了し、暖房燃焼運転に切り替える。
【０２０５】
貯湯タンク１０の上部の４０℃以上の湯があり（ステップＳ６７４;Ｙｅｓ）、かつ貯湯タンク１０への戻り温度が３０℃未満(ステップＳ６７５;Ｎｏ)の間は、そのまま蓄熱利用暖房運転を継続する。貯湯タンク１０の上部に４０℃以上の湯があるが（ステップＳ６７４;Ｙｅｓ）貯湯タンク１０下部への戻り温度が３０℃以上になったら（ステップＳ６７５;Ｙｅｓ）、蓄熱利用ポンプ５７の回転数が下限に至っているか否かを調べる（ステップＳ６７６）。
【０２０６】
蓄熱利用ポンプ５７の回転数が下限でなければ（ステップＳ６７６;Ｎｏ）、蓄熱利用ポンプ５７の回転数を所定量下げて（ステップＳ６７８）、ステップＳ６７４に戻り、蓄熱利用暖房運転を継続する。蓄熱利用ポンプ５７の回転数が既に下限ならば(ステップＳ６７６;Ｙｅｓ)、暖房ポンプ４６の回転数が下限か否かを調べる（ステップＳ６７７）。暖房ポンプ４６の回転数が下限でなければ（ステップＳ６７７;Ｎｏ）、暖房ポンプ４６の回転数を所定量下げて（ステップＳ６７９）、ステップＳ６６７４に戻り、蓄熱利用暖房運転を継続する。
【０２０７】
暖房ポンプ４６の回転数が下限の場合は(ステップＳ６７７;Ｙｅｓ)、タンク戻り三方弁５５を中間側に切り替え、蓄熱利用ポンプ５７、暖房ポンプ４６を共に通常の回転数に戻す（ステップＳ６８０）。その後は、貯湯タンク１０上部にある湯の温度と貯湯タンク１０の中間部への戻り温度を監視する。
【０２０８】
貯湯タンク１０の上部の４０℃以上の湯があり（ステップＳ６８１;Ｙｅｓ）かつ水-水熱交換器５０から貯湯タンク１０の中間部への戻り温度が４０℃未満(ステップＳ６８２;Ｎｏ)の間は、そのまま蓄熱利用暖房運転を継続する。貯湯タンク１０の上部に４０℃以上の湯があるが（ステップＳ６８１;Ｙｅｓ）貯湯タンク１０の中間部への戻り温度が４０℃以上になったら（ステップＳ６８２;Ｙｅｓ）、蓄熱利用ポンプ５７の回転数が下限に至っているか否かを調べる（ステップＳ６８３）。
【０２０９】
蓄熱利用ポンプ５７の回転数が下限でなければ（ステップＳ６８３;Ｎｏ）、蓄熱利用ポンプ５７の回転数を所定量下げて（ステップＳ６８５）、ステップＳ６８１に戻り、蓄熱利用暖房運転を継続する。蓄熱利用ポンプ５７の回転数が既に下限ならば(ステップＳ６８３;Ｙｅｓ)、暖房ポンプ４６の回転数が下限か否かを調べる（ステップＳ６８４）。暖房ポンプ４６の回転数が下限でなければ（ステップＳ６８４;Ｎｏ）、暖房ポンプ４６の回転数を所定量下げて（ステップＳ６８６）、ステップＳ６８１に戻り、蓄熱利用暖房運転を継続する。
【０２１０】
暖房ポンプ４６の回転数が下限の場合(ステップＳ６８４;Ｙｅｓ)、もしくは、貯湯タンク１０の上部に４０℃以上の湯がない状態になったら（ステップＳ６８１;Ｎｏ）、蓄熱利用ポンプ５７をオフにして蓄熱利用暖房運転を停止し、暖房切替弁４４を燃焼側に切り替え、暖房ポンプ４６の回転数を通常に戻して、暖房燃焼運転を開始する(ステップＳ６８７)。
【０２１１】
その後、リモコン操作により暖房運転がオフにされたら（ステップＳ６８８）、暖房切替弁４４を燃焼側とし、暖房ポンプ４６を停止して、暖房燃焼運転を停止する（ステップＳ６８９）。
【０２１２】
図３６、図３７は、制御方針５と制御方針４と制御方針３と制御方針２と制御方針１を組み合わせた場合の暖房運転の流れを示している。図３６において図３４と同一の処理には図３４と同一のステップ番号を付してその説明を省略する。図３６の処理では、ステップＳ６６４の後ろに、制御方針１に対応する処理として、燃料電池２が発電停止中か否かを調べるステップＳ６６４−０１と、次回の発電予定までに給湯利用の予定があるか否かを調べるステップＳ６６４−０２が付加されている。また図３７において図３５と同一の処理には図３５と同一のステップ番号を付してその説明を省略する。図３７の処理では、ステップＳ６７２の後ろに、制御方針１に対応する処理として、燃料電池２が発電停止中か否かを調べるステップＳ６７２−０１と、次回の発電予定までに給湯利用の予定があるか否かを調べるステップＳ６７２−０２が付加されている。
【０２１３】
以上、本発明の実施の形態を図面によって説明してきたが、具体的な構成は実施の形態に示したものに限られるものではなく、本発明の要旨を逸脱しない範囲における変更や追加があっても本発明に含まれる。
【０２１４】
実施の形態の図１に示す排熱利用システム８の構成は例示であり、たとえば、排熱対象の熱源は燃料電池２でなくてもかまわない。また、給湯暖房器３０では床暖房マット４０を放熱器としたが、これに限定されるものではなく、例えば、室内に設置する暖房器具、浴室暖房装置などでもよい。暖房を目的としない放熱器であってもよい。
【０２１５】
給湯暖房器３０は、風呂の自動運転や追い焚き機能を備えるものであってもよい。
【符号の説明】
【０２１６】
２…燃料電池
８…排熱利用システム
１０…貯湯タンク
１１…給水口
１２…出湯口
１４…下部取水口
１５…上部戻り口
１６…上部取水口
１７…下部戻り口
１８…中間戻り口
２０…排熱回収ユニット
２１…排熱回収用熱交換器
２２…排熱回収用循環ポンプ
２４…熱回収低温配管
２５…熱回収高温配管
２６…熱回収低温側温度センサ
２７…熱回収高温側温度センサ
３０…給湯暖房器
３１…給水接続口
３２…給湯用熱交換器
３３…給湯温度センサ
３４…バックアップ熱源機配管
３５…混合器
３６…給水分岐管
３７…タンク出口温度センサ
３８…混合温度センサ
３９…暖房用熱交換器
４０…床暖房マット
４１…暖房往き配管
４２…排熱利用配管
４３…暖房戻り配管
４４…暖房切替弁
４５…排熱利用バイパス管
４６…暖房ポンプ
４７…暖房戻り温度センサ
４８…暖房往き温度センサ
５０…水-水熱交換器
５１…一次側熱交換配管
５２…二次側熱交換配管
５３…排熱利用高温配管
５４…排熱利用低温配管
５５…タンク戻り三方弁
５６…タンク中間戻り管
５７…蓄熱利用ポンプ
５８…タンク戻り温度センサ
６０…制御部
７１…給水管
【図１】
2019035521.tif 000003
【図２】
2019035521.tif 000004
【図３】
2019035521.tif 000005
【図４】
2019035521.tif 000006
【図５】
2019035521.tif 000007
【図６】
2019035521.tif 000008
【図７】
2019035521.tif 000009
【図８】
2019035521.tif 000010
【図９】
2019035521.tif 000011
【図１０】
2019035521.tif 000012
【図１１】
2019035521.tif 000013
【図１２】
2019035521.tif 000014
【図１３】
2019035521.tif 000015
【図１４】
2019035521.tif 000016
【図１５】
2019035521.tif 000017
【図１６】
2019035521.tif 000018
【図１７】
2019035521.tif 000019
【図１８】
2019035521.tif 000020
【図１９】
2019035521.tif 000021
【図２０】
2019035521.tif 000022
【図２１】
2019035521.tif 000023
【図２２】
2019035521.tif 000024
【図２３】
2019035521.tif 000025
【図２４】
2019035521.tif 000026
【図２５】
2019035521.tif 000027
【図２６】
2019035521.tif 000028
【図２７】
2019035521.tif 000029
【図２８】
2019035521.tif 000030
【図２９】
2019035521.tif 000031
【図３０】
2019035521.tif 000032
【図３１】
2019035521.tif 000033
【図３２】
2019035521.tif 000034
【図３３】
2019035521.tif 000035
【図３４】
2019035521.tif 000036
【図３５】
2019035521.tif 000037
【図３６】
2019035521.tif 000038
【図３７】
2019035521.tif 000039
【図３８】
2019035521.tif 000040
【図３９】
2019035521.tif 000041